(57)【要約】靴は、中足骨の下に位置して、底部を横方向に拡張するための拡張機構を含む底部を備える。甲部は底部の上に載置されている。シャーシは底部の上に載置されており、足の下に位置する。一実施形態では、底部の拡張機構は基底部分と拡張部分とを含み、基底部分は、拡張部分を画定する中足領域において概ね長手方向に延伸する複数のスロットを備え、拡張部分は、底部の横方向への拡張を可能とする材料で形成されている。一実施形態では、甲部は、甲部を拡張及び収縮させて、足が動く時に足の保持を安定化する拡張及び収縮機構を備えている。一実施形態では、拡張及び収縮機構は、継ぎ目において二片のレザーの間に挟まれたオメガ型弾性継ぎ目であって、このオメガが開閉する。一実施形態では、シャーシは、足のかかとの下に位置するかかと区域と、中足骨の下に位置する中足骨区域と、足の足指の下に位置する足指区域とのる少なくとも３つの調整された区域を備えている。一実施形態では、シャーシは、付加的な調整区域である足の土踏まずの下に位置した土踏まず区域を備えている。
2004535211.tif 000002
【特許請求の範囲】
【請求項１】
かかと、土踏まず、中足骨、及び足指を備えた足を収容するための靴であって、
拡張機構を備えた底部であって、前記拡張機構が前記中足骨の下に位置し、この底部を横方向に拡張する、底部と、
前記底部の上に載置された甲部と、
前記底部の上に載置されて、前記足の下に位置するシャーシとを含む靴。
【請求項２】
前記底部の前記拡張機構は冠状部を含み、前記底部は底面を備え、前記靴に荷重が加わっていない状態／姿勢では、前記底面の中央領域は前記底面の一対の側縁部の下に延伸し、前記靴に荷重が加わった状態では、前記縁部が外側下方に移動する、請求項１に記載の靴。
【請求項３】
前記底部の前記拡張機構は、複数の開口部を備えた外底を含み、前記底部の前記外底及び前記甲部が靴容積を画定し、前記底部が、前記外底の概ね上に位置する変位部分であって、前記靴容積の一部を充填する変位部分を含み、前記変位部分は、変形し且つ前記底部分の前記開口部を介して突出し、前記靴容積を増大可能な、請求項１に記載の靴。
【請求項４】
前記底部の前記拡張機構は基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項１に記載の靴。
【請求項５】
前記甲部が、前記甲部を拡張及び収縮させる拡張及び収縮機構を備えた、請求項４に記載の靴。
【請求項６】
前記拡張及び収縮機構は、継ぎ目において二片のレザーの間に挟まれた可撓性材料であって、この可撓性材料が拡張し収縮する、請求項５に記載の靴。
【請求項７】
前記拡張及び収縮機構は、継ぎ目において二片のレザーの間に挟まれた拡張可能なオメガ型継ぎ目であって、このオメガが開閉する、請求項５に記載の靴。
【請求項８】
前記シャーシが、前記足の前記かかとの下に位置するかかと区域と、前記中足骨の下に位置する中足骨区域と、前記足の前記足指の下に位置する足指区域とからなる少なくとも３つの調整された区域を備えた、請求項５に記載の靴。
【請求項９】
前記シャーシが、付加的な調整された区域である、前記足の前記土踏まずの下に位置した土踏まず区域を備えた、請求項８に記載の靴。
【請求項１０】
前記靴内に載置された防水及び通気性ライナーであって、水が前記ライナーを通過して前記足に到達するのを防止し、前記足の呼吸は許容する防水及び通気性ライナーを更に含む、請求項８に記載の靴。
【請求項１１】
前記防水及び通気性ライナーが、前記中足骨区域及び前記足指区域に拡張可能領域を、前記かかと区域に非拡張可能領域を備えた、請求項１０に記載の靴。
【請求項１２】
かかと、土踏まず、中足骨、及び足指を備えた足を収容するための靴であって、
拡張機構を備えた底部であって、この拡張機構が前記中足骨の下に位置し、この底部を横方向に拡張する、底部と、
前記底部の上に載置された甲部と、
前記底部に載置され、前記足の下に位置したシャーシであって、前記足の前記かかとの下に位置するかかと区域と、前記中足骨の下に位置する中足骨区域と、前記足の前記足指の下に位置する足指区域との少なくとも３つの調整された区域を備えたシャーシとを含む靴。
【請求項１３】
前記シャーシが、基層と、上層と、インサートとを含み、前記インサートが、前記かかと区域及び土踏まず区域において前記基層と前記上層との間に延伸し、前記インサートが、前記土踏まず区域において屈曲を可能とする複数のフィンガーを備える、請求項１２に記載の靴。
【請求項１４】
前記シャーシが、付加的な調整された区域である、前記足の前記土踏まずの下に位置した土踏まず区域を備えた、請求項１３に記載の靴。
【請求項１５】
前記甲部が、前記甲部を拡張及び収縮させる拡張及び収縮機構を備えた、請求項１４に記載の靴。
【請求項１６】
前記拡張及び収縮機構が、継ぎ目において二片のレザーの間に挟まれた可撓性材料であって、この可撓性材料が拡張し収縮する、請求項１５に記載の靴。
【請求項１７】
前記拡張及び収縮機構が、継ぎ目において二片のレザーの間に挟まれた拡張可能なオメガ型継ぎ目であって、このオメガが開閉する、請求項１５に記載の靴。
【請求項１８】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項１５に記載の靴。
【請求項１９】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項１１に記載の靴。
【請求項２０】
前記底部の前記拡張機構が、前記靴を長手方向に拡張する拡張機構を含んだ、請求項１９に記載の靴。
【請求項２１】
前記長手方向拡張機構が、拡張部分を画定する概ね横方向に延伸した前記スロットの少なくとも一部を備え、前記拡張部分が、前記底部の長手方向への拡張を可能とする材料を収容する、請求項２０に記載の靴。
【請求項２２】
前記シャーシと一体形成され、前記甲部及び前記底部から分離したかかとカップを更に含む、請求項１９に記載の靴。
【請求項２３】
かかと、土踏まず、中足骨、及び足指を備えた足を収容するための靴であって、
底部と、
前記底部の上に載置された甲部と、
前記底部に載置され、前記足の下に位置したシャーシであって、前記足の前記かかとの下に位置するかかと区域と、前記中足骨の下に位置する中足骨区域と、前記足の前記足指の下に位置する足指区域との少なくとも３つの調整された区域を備えたシャーシとを含む靴。
【請求項２４】
前記甲部が、前記甲部を拡張及び収縮させる拡張及び収縮機構を備えた、請求項２３に記載の靴。
【請求項２５】
前記底部が、前記中足骨の下に位置すると共に前記底部を横方向に拡張するための拡張機構を更に含む、請求項２４に記載の靴。
【請求項２６】
前記甲部が、前記シャーシの下に位置した固着機構により前記底部に固着されている、請求項２５に記載の靴。
【請求項２７】
前記甲部が、概ね垂直に延伸した固着機構により前記底部に固着されている、請求項２５に記載の靴。
【請求項２８】
前記底部がリップを更に含み、前記甲部が、前記リップの上に位置した部分を含み、この靴が、前記甲部を介して前記リップ内に延伸して、押し縁を画定する一列の針目を更に含む、請求項２５に記載の靴。
【請求項２９】
前記シャーシが、付加的な調整された区域である、前記足の前記土踏まずの下に位置した土踏まず区域を備えた、請求項２８に記載の靴。
【請求項３０】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項２９に記載の靴。
【請求項３１】
前記靴内に載置された防水及び通気性ライナーを更に含み、前記防水及び通気性ライナーが、前記中足骨区域及び前記足指区域に拡張可能領域を備え、前記かかと区域に非拡張可能領域を備え、前記防水及び通気性ライナーが、水が前記ライナーを通過して前記足に到達するのを防止し、前記足の呼吸は許容する、請求項３０に記載の靴。
【請求項３２】
前記拡張及び収縮機構が、継ぎ目において二片のレザーの間に挟まれたオメガ型弾性継ぎ目であって、このオメガが開閉する、請求項３１に記載の靴。
【請求項３３】
かかと、土踏まず、中足骨、及び足指を備えた足を収容するための靴であって、
底部と、
前記底部の上に載置された甲部であって、この甲部を拡張及び収縮させる拡張及び収縮機構を備えた甲部と、
前記底部の上に載置されて、前記足の下に位置するシャーシと、
前記靴内に載置された防水及び通気性ライナーであって、前記中足骨区域及び前記足指区域に拡張可能領域を備え、前記かかと区域に非拡張可能領域を備え、水がこのライナーを通過して前記足に到達するのを防止し、前記足の呼吸は許容する防水及び通気性ライナーとを含む靴。
【請求項３４】
前記底部が、前記中足骨の下に位置すると共に前記底部を横方向に拡張するための拡張機構を更に含む、請求項３３に記載の靴。
【請求項３５】
前記拡張及び収縮機構が、継ぎ目において二片のレザーの間に挟まれたオメガ型弾性継ぎ目であって、このオメガが開閉する、請求項３４に記載の靴。
【請求項３６】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項３５に記載の靴。
【請求項３７】
かかと、土踏まず、中足骨、及び足指を備えた足の下に位置するシャーシであって、
前記シャーシが、前記足の前記かかとの下に位置するかかと区域と、前記中足骨の下に位置する中足骨区域と、前記足の前記足指の下に位置する足指区域との少なくとも３つの調整された区域を備えた、シャーシ。
【請求項３８】
前記シャーシが、付加的な調整された区域である、前記足の前記土踏まずの下に位置した土踏まず区域を備えた、請求項３７に記載のシャーシ。
【請求項３９】
前記シャーシが、前記区域の少なくとも２つの間にまたがる移行帯を備えた、請求項３９に記載のシャーシ。
【請求項４０】
前足領域と、中足領域と、かかと領域とを備えた靴であって、
基底部分と拡張部分とを備えた底部であって、前記基底部分は、前記拡張部分を画定する前記中足領域において概ね長手方向に延伸する複数のスロットを備え、前記拡張部分は、前記底部の横方向への拡張を可能とする材料で形成されている、底部と、
前記底部分の上に載置された甲部部分と、
前記底部の上に載置されたシャーシであって、力を拡散するために、前記足に適合された複数の材料を備えたシャーシとを備えた靴。
【請求項４１】
前記底部分が冠状部を備え、前記靴に荷重が加わっていない状態では、前記底面の中央は側縁部の下に延伸し、前記靴に荷重が加わった状態では、前記縁部が外側に移動する、請求項４０に記載の靴。
【請求項４２】
前記甲部部分が、前記足が動く際に、前記足を安定して保持するための拡張及び収縮機構を備えた、請求項４０に記載の靴。
【請求項４３】
前記拡張及び収縮機構は、継ぎ目において二片の材料の間に挟まれた可撓性材料であって、この可撓性材料が拡張し収縮する、請求項４２に記載の靴。
【請求項４４】
前記前記拡張及び収縮機構が、オメガ型弾性継ぎ目である、請求項４２に記載の靴。
【請求項４５】
前記シャーシが、前記足を支持するかかとカップを備えた、請求項４０に記載の靴。
【請求項４６】
前記シャーシが前記足の外形に合わせて作製されている、請求項４０に記載の靴。
【請求項４７】
足を収容するための靴であって、
底部と、
前記底部の上に載置された甲部と、
前記底部の上に載置されて、前記足の下に位置するシャーシと、
前記底部及び前記甲部の内部に載置された防水及び通気性ライナーであって、足型に装着して作製した前方部分と、防水ガスケットで封止した、足型で接着した後方部分を備え、水が前記ライナーを通過して前記足に到達するのを防止し、前記足の呼吸は許容する防水及び通気性ライナーとを含む靴。
【請求項４８】
かかと、土踏まず、中足骨、及び足指を備えた足を収容するための履物であって、拡張機構を備えた下部を含み、前記拡張機構が、前記中足骨の下に位置すると共に前記下部を横方向に拡張する、履物。
【請求項４９】
前記下部は、長手方向に延伸した溝を備えた底部を含み、前記溝が、前記底部が屈曲する際に横方向に拡張するよう構成されている、請求項４８に記載の履物。
【請求項５０】
前記溝が、外側に向かって角度を付けた長手方向に延伸する側壁を備える、請求項４９に記載の履物。
【請求項５１】
前記下部が、冠状底面を備え、前記底面の平坦化が前記底部を横方向に拡張する、請求項４８に記載の履物。
【請求項５２】
かかと、土踏まず、中足骨、及び足指を備えた足を収容するための靴を作製する方法であって、
拡張機構を備えた底部を提供する段階であって、前記拡張機構が、前記中足骨の下に位置すると共にこの底部を横方向に拡張する、提供する段階と、
前記底部の上に載置された甲部を提供する段階と、
前記底部の上に載置されて、前記足の下に位置するシャーシを提供する段階とを含む、靴を作製する方法。
【請求項５３】
かかと、土踏まず、中足骨、及び足指を備えた足を収容する履物を作製する方法であって、拡張機構を備えた下部を作製する段階であって、前記拡張機構が、前記中足骨の下に位置すると共に下部を横方向に拡張する、作製する段階を含む履物を作製する方法。
【請求項５４】
かかと、土踏まず、中足骨、及び足指を備えた足を収容するための、底部を備えた履物を拡張する方法であって、
前記靴の拡張を許容する段階と、
前記底部を、拡張機構により、拡張する前記足の力によって、前記中足骨の下で横方向に拡張させる段階とを含んだ、履物を拡張する方法。
【請求項５５】
下部を備えた履物を拡張させる方法であって、
使用時に前記下部を屈曲させる段階と、
前記下部の屈曲に応答して拡張する拡張機構により、前記下部を拡張させる段階とを含む、履物を拡張させる方法。
【請求項５６】
前記下部は、長手方向に延伸した溝を備えた底部を含み、前記溝を、前記底部の屈曲と共に横方向に拡張するように構成する段階を更に含む、請求項５５に記載の方法。
【請求項５７】
前記溝に、外側に向かって角度を付けた長手方向に延伸する側壁を設ける段階を更に含む、請求項５６に記載の方法。
【請求項５８】
冠状底面を備えた底部を前記下部に設ける段階を更に含み、前記底面の平坦化が前記底部を横方向に拡張する、請求項５５に記載。
【発明の詳細な説明】
【関連出願】
【０００１】
本願は、２００１年７月１０日付けで出願された米国仮出願第６０／３０４，２５０号及び２０００年１２月２２日付けで出願された米国仮出願第６０／２５８，１８４号の利益を主張する。上記出願の教示全体は、引用してここに援用する。
【発明の背景】
【０００２】
人間は、数千年間にわたり足を保護するために物を履いてきた。２０世紀では、典型的には靴と呼ばれるこれら物品は、地面に接触して地面に対する障壁を形成する底部と、足に接触する中底と、主として足を靴の内部に保持する甲部とからなる３つの基本的構成要素を含んでいる。これら３つの基本的構成要素は、様々に変更したり統合したりできる。一例としては、底部及び中底が同質材料製で一体形成されており、甲が、足を中底に保持するための数本のストラップからなる平坦なサンダルがある。更に、靴は、付加的支持又は保護などの他の特別な機能を備えることもできる。こうした保護機能としては、例えば、作業環境での保護を目的としたつま先を覆う硬化材料層などである。
【０００３】
２０世紀後半には、靴は様々な異なる方法で分類されてきた。そうした分類体系の１つは、従来型、ユーロコンフォート、及びファッションの３つのカテゴリからなる。第１のカテゴリ、すなわち従来型靴のカテゴリは、典型的には、形状を保持する堅い靴に仕上がる堅いレザー構成要素を備えている。第２カテゴリはユーロコンフォート靴で、レザーは柔らかく、一般的に足型、足跡、即ち形態が幅広である。更に、典型的にユーロコンフォート靴は、足の下にある中底の一部に発泡体を備えている。ユーロコンフォート靴は、典型的には従来型の靴のようには形状を維持しない。第３カテゴリはファッション靴であり、その望まれる特徴は靴の外観であって、足の快適さや健康はほとんど考慮されない。
【発明の開示】
【０００４】
発明の概要
本発明は、一日の内に起こる足の変化に反応して形状を順応させ、変化させる靴に関する。典型的な人が動くと、足は加えられた力に反応してその形状を変化させる。例えば、人が歩くとまず足のかかとが地面に当たり、前方に移動するにつれ、足の異なる部分が地面と相互作用する。歩行中に、足は、荷重の変動及びその結果生じる圧力変動に反応しつつ、その形状を変化させる。更に、人が座っている状態から立ち上がりまた元の状態に戻ると、足には荷重が加えられ取り除かれるので、拡張した後に収縮する。本発明の靴は快適さをもたらし、更には、優れた外観を備えることもできる。
【０００５】
様々な実施形態で後述する靴は、快適さを実現し、力をより均等に分散し、足にかかる圧力を軽減するための、単独で又は組み合わせて機能する幾つかの要素を備えている。様々な実施形態における靴は、足の形状が変化する際に拡張し復元する要素と、足の異なる部分に合わせて調整され、外力に反応してこれらの部分にしか発生しない独特な圧力に適合させた幾つかの領域を備えた要素とを組み合わせる。
【０００６】
人が歩いたり走ったりする歩行サイクルを経る場合や、又、着座や起立など様々な姿勢を繰り返して、足に荷重を加えたり除去したりするその他のサイクルを経る場合に、この靴は地面の反作用力の伝搬をうまく処理する。
【０００７】
この靴は、拡張可能な表底と、領域分割したすなわち調整して作製したシャーシ（すなわち支持帯）と、伸縮可能な甲部とを含んだ様々な要素を含む。領域分割したすなわち調整して作製したシャーシは、足にかかる地面の反作用力をより均等に分散し、結果として生じる圧力を軽減するための、様々な密度の材料を備えた複数領域を具備している。
【０００８】
本発明の靴は、足の動作に従って拡張及び収縮する。この靴の拡張及び収縮により、形状と格好を維持しつつ快適な靴ができあがる。
【０００９】
この靴の底部は、拡張機構を備えている。シャーシは、従来の靴よりも圧力をより均等に分散させるための領域分割した圧力システムとなっている。シャーシは複数領域を備えている。各領域は、その上に位置する足の部分への圧力をうまく処理するように特別に設計又は作製されている。この靴の甲部は、足に合わせて拡張及び収縮して快適にフィットするように拡張機構を備えている。
【００１０】
本発明は、中足骨及び中足指節関節の下で、底部を横方向に拡張するための拡張機構を備えた底部を備えた靴に関する。甲部は底部の上に載置されている。シャーシは底部の上に載置されており、足の下に位置する。
【００１１】
一実施形態では、底部の拡張機構は冠状部を含んでおり、底部は底面を備え、靴に荷重が加わっていない状態では、底面の中央領域は底面の一対の側縁部の下に延伸し、又、靴に荷重が加わった状態では、縁部が外側下方に移動する。
【００１２】
一実施形態では、底部の拡張機構は、複数の開口部を備えた外底を含み、底部の外底及び甲部が靴の容積を画定し、底部は、外底の概ね上に位置し且つ靴容積の一部を充填する変位部分を含み、変位部分は変形可能で、又、底部分の開口部を介して突出して靴容積を増大可能である。
【００１３】
一実施形態では、底部の拡張機構は、基底部分及び拡張部分を含み、基底部分は、拡張部分を画定する中足領域で概ね長手方向に延伸する少なくとも１つのスロットを備え、拡張部分は、底部の横方向拡張を可能とする材料で形成されている。
【００１４】
一実施形態では、甲部は、拡張及び収縮すなわち回復機構を備えており、足の動きに合わせて甲部を拡張及び収縮させる。一実施形態では、拡張及び回復機構は、継ぎ目において二片のレザーの間に挟まれた可撓性材料であって、この可撓性材料が拡張し、初期形状に回復する。一実施形態では、拡張及び回復機構は、継ぎ目において二片のレザーの間に挟まれたオメガ型弾性継ぎ目であって、このオメガが開閉する。
【００１５】
シャーシは、少なくとも３つの特別に設計されたすなわち調整された区域を備え、その上に位置する足の部分への圧力をうまく処理する。これら３つの区域は、足のかかとの下に位置したかかと区域と、少なくとも中足指節関節及び第５中足骨の下に位置した中足骨区域と、足の足指の下に位置した足指区域である。一実施形態では、シャーシは付加的な特別に設計された、すなわち調整された区域である足の土踏まずの下に位置した土踏まず区域を備えている。
【００１６】
幾つかの実施形態では、シャーシは、靴の残り部分から分離しており取り外し可能である。更に、シャーシは底部と共に形成するか、或いは底部と共に形成した構成要素を備える一方、他の構成要素は、靴の残り部分から分離して取り外し可能とすることもできる。幾つかの実施形態では、シャーシは、底部又は甲部に正しく重ね合わせられている。
【００１７】
一実施形態では、防水及び通気性ライナーが靴に載置されている。防水及び通気性ライナーは、水がライナーを通過して足に達するのを防止するが、足からの水分が靴の外に出るのは可能とする。一実施形態では、防水及び通気性ライナーは、３６０度拡張可能な前方領域及び非拡張性の後方領域を備えている。別の実施形態では、防水及び通気性ライナーは、前方領域の甲部分に位置している。
【００１８】
一実施形態では、シャーシは、基層と、上層と、インサートとを含む。インサートは、かかと区域及び土踏まず区域において基層と上層との間に延伸している。インサートは、土踏まず区域では屈曲を可能とするため複数のフィンガーを備えている。
【００１９】
一実施形態では、靴の底部の拡張機構は、靴を長手方向に拡張させるための第２材料からなる拡張部分を含む。靴を長手方向へ拡張させるこの機能は、足が成長過程にある子供用の靴に使用できる。
【００２０】
一実施形態では、靴のシャーシはかかとカップを含む。かかとカップは、シャーシの残り部分から上方へ延伸して、足のかかとを包む。かかとカップは甲部及び底部から分離している。
【００２１】
一実施形態では、シャーシは靴の甲部に連結されるか、あるいは甲部に正しく位置合わせされている。シャーシを甲部に連結することにより、シャーシが甲部及び靴の残り部分に対して前後方向に動くのを防止する。シャーシを甲部に対して正しく重ね合わせることで、足は、シャーシと共に移動する際に甲部に擦れ合うことがない。
【００２２】
足の形状は動的であり、足に荷重がかかり又それが除去される際にその形状は変化する。本発明による靴は、底部、シャーシ、及び甲部を含み、快適な状態で足の動きを可能とする。幾つかの実施形態では底部は、拡張接合部及び、又は冠状部と共に拡張及び収縮する。このシャーシは、典型的な３つの荷重地点よりも広い面積にわたって足にかかる力を分散するので、圧力を減少させ、同様に、シャーシの湾曲と底部を組み合わせたことで形状も拡張させる。甲部は、足の動きに合わせて拡張及び収縮する。底部分、シャーシ、及び甲部の構造及び特徴を組み合わせたことで、外見的にも優れた、快適で支持性が高い靴ができる。
【００２３】
本発明は、かかと、土踏まず、中足骨、及び足指を備えた足を収容するための履物にも関する。この履物は下部を含み、下部は、中足骨の下に位置すると共に下部を横方向に拡張するための拡張機構を備える。
【００２４】
好適な実施形態では、下部は、長手方向に延伸した溝を備えた底部を含み、これら溝は、底部が屈曲する際に横方向に拡張するよう構成されている。溝は、外側に向かって角度を付けた長手方向に延伸する側壁を備えることができる。底部は冠状部を備えた底面を具備していてもよく、底面の平坦化が底部を横方向に拡張させる。
【００２５】
更に、本発明は、かかと、土踏まず、中足骨、及び足指を備えた足を収容するための底部を具備した履物を拡張するための方法にも関する。足を拡張させることができる。すると、底部は、拡張機構により、拡張する足の力によって、中足骨の下に位置する部分で横方向に拡張する。
【００２６】
発明の詳細な説明
足４０を図１及び２に示す。足４０は、かかと４２から足指４４の先端にかけて幾つかの重要で別個の部位を備えている。足４０のこれら部位には、かかと４６、足４０の内側にある土踏まず４８、及び足指４４が含まれる。更に、図２に最もよく示されているように、足４０は５つの中足骨５０（それぞれの中足指節（ＭＰ）関節５２から、後方に向かって楔状骨と立法骨の遠位側で形成された足根骨５４の前方部分に延伸した足４０の部分、より具体的には足４０のこの部分の骨）を備えている。
【００２７】
足４０は均質とは言い難く、その部位は異なる特徴を備えている。かかと４６は主として骨が多い部分だが、土踏まず４８は主として結合組織である。対照的に、足指４４はよりもろく、バランス保持の助けとなるよう分散して移動するための空間を必要とし、多様な地形に適応して、地面の反作用力及び結果として生じる圧力をうまく処理する。
【００２８】
従来の靴では、足４０を介した体重による荷重は、典型的にはかかと４６及び第１及び第５ＭＰ関節５２にかかる。最大荷重がかかるのはかかと４６である。第１ＭＰ関節５２は、２番目に大きな荷重集中個所である。
【００２９】
足の形状は動的であり、足に荷重がかかりそれが取り除かれる時にその形状が変化することは知られている。平均的な人が立っている時の足の形状は、座っていて足に体重がかかっていない時の同一足の形状とは異なる。中足骨部位における平均的な大人の足４０は、休息姿勢から起立姿勢に移ると最大５ミリメートル拡張することがある。この３乃至５ミリメートルの拡張は、典型的には、幅で換算した靴サイズ半分（１／２）に対応する。
【００３０】
図３は、本発明による靴３０の斜視図である。靴３０は、上方内側の側面図で示してある。図４Ａに示したように、靴３０は、底部３２と、甲部３４と、シャーシ３６との３つの主要な構成要素を備えている。甲部３４は、主としてレザーからなり、図示した実施形態では、舌６２と、靴ひもを通すための複数のはとめを備えた一対はとめタブ６４とを備えている。甲部３４は、底部３２に固着されている。図示した実施形態では、甲部３４は、少なくとも一列の針目７０により底部３２に固着されている。縫い目７０は、図４Ｂに示すように、甲部３４全体及び底部の一部を延伸しており、押し縁７２と呼ばれる。
【００３１】
図４Ａは、内部を見るため、図３の靴３０の足指部分を破断して回転させた、靴３０の斜視図である。シャーシ３６は底部の上に載置され、甲部３４が周設されているのが示されている。
【００３２】
後に詳述するように、本実施形態のシャーシ３６は、図４Ａ及び４Ｂに示したように、少なくとも１つの基層７６及び上部層８０を含む一連の層を備えている。シャーシ３６は、図８Ａ乃至１０Ｂを参照して後述する。
【００３３】
甲部３４は、典型的にはレザー製の主要部８６を含む。主要部８６の幾つかの部分は、甲部３４を形成するために継ぎ目によって互いに結合されている。図示した実施形態では、拡張部分８８は、甲部３４の側部９０を形成する一片のレザー８６を、甲部３４の上部分９２に接続している。拡張部分８８は図３にも示した。図１１Ａ乃至１１Ｂを含む図に関連して後述するように、拡張部分８８は、靴を本発明に従って拡張及び復元させる。更に、甲部３４は内張り９４を備える。内張り９４の少なくとも一部は、拡張部分９６である。
【００３４】
図４Ｂを続けて参照すると、靴３０の底部３２は、基底即ち外底１００及びインナーライナー１０２を備えている。基底１００は、一連のスロットすなわち溝１０６を備えた第１材料部分１０４を備えており、これらスロットすなわち溝には第２材料部分１０８が充填されている。
【００３５】
一実施形態では、第１材料部分１０４は、ゴム、熱可塑性ゴム（ＴＰＲ）、又は熱可塑性ウレタン（ＴＰＵ）のようなエラストマ材料で形成されている。第２材料部分１０８は、例えばハンツマンアバロン（原語：Huntsman Avalon）６５ＡＥ  ＴＰＵなどの、ジュロメータ値が低いか又は比重が軽い、適合性がある又は同一のエラストマで形成されている。第１材料部分１０４及び第２材料部分１０８は、二種要素射出成形（原語：dual component injection molding）又は共有押出し成形などの製造工程で一緒に成形する。
【００３６】
第２材料部分１０８は、拡張可能となるように長手方向に延伸した「Ｕ」字型チャンネル１１０を備えている。底部３２のインナーライナー１０２は、シャーシ３６のプラットホームとなる。インナーライナー１０２は、靴３０内で長手方向に延伸する一対のスロット１１２を備え、底部３２の基底１００の第２材料部分１０８の「Ｕ」字型チャンネル１１０上に位置する。後に詳述するように、シャーシ３６は、頑丈な基層７６を備える。底部３２のインナーライナー１０２の主たる目的は、外観を完成することである。一実施形態のインナーライナー１０２は、型押し繊維板又は不織板である。型押し繊維板のインナーライナー１０２は、ボンテックス社（原語：Bontex, Inc.）により「ボンスティッチ３０５（原語：Bonstich 305）」という商品名で販売されている材料から製造できる。
【００３７】
図５を参照すると、本発明による靴３０の底部３２の基底１００の底面図を示す。底部３２の基底１００は、一対の溝すなわちスロット１０６を備えた第１材料部分１０４で形成されている。これら溝１０６は、底部３２の前部及び中足部領域において概ね長手方向に延伸している。溝１０６は、底部３２に力が加わると拡張して靴の幅を広げる拡張部である、第２材料部分１０８を収容している。
【００３８】
この靴は広がって足の膨張に対応する。底部の設計により、力が加わった時にこの拡張部が拡張して、力が減少すると収縮又は元に戻るようになっている。材料及び幾何学的形状を選択することで、底部は異なる幅まで拡張し、又は異なる荷重レベルで拡張するように設計可能であることが知られている。例えば、子供用の靴は拡張の度合いが低く、拡張させるには異なるレベルの力が必要となるように設計することが可能である。
【００３９】
図６Ａ乃至６Ｅを参照すると、靴３０の底部３２の断面図を示す。図６Ａは靴３０の先端付近の断面図である。底部３２の基底１００は、内側部分すなわち内側縁部から外側部分すなわち外側縁部まで延伸した第１材料部分１０４を備えている。底部３２の各縁部において、リップ１１６が上方に突出していて、図４Ｂに示したように、このリップが、甲部３４と共に押し縁７２を形成している。図示した実施形態では、リップは、第２材料部分１０８と同一の材料で形成されている。インナーライナー１０２は、靴３０の底部３２の基底１００の上に位置することが図示されている。
【００４０】
図６Ｂ乃至６Ｄはそれぞれ、靴３０の底部３２の拡張部分を備えた領域を通る断面図を示す。基底１００は、一対の溝１０６を備えた第１材料部分１０４を具備している。図５に示したように、溝１０６は概ね長手方向に延伸し、拡張部分である第２材料部分１０８を収容する。第２材料部分１０８は、第１材料部分１０４より柔軟でジュロメータ値が低いことに加え、第２材料部分１０８は拡張を容易にする幾何学的形状を備えている。靴３０の底部３２の基底１００の第２材料部分１０８は、平坦化して拡張可能な「Ｕ」字型チャンネル１１０を備えている。
【００４１】
インナーライナー１０２は、図６Ｂに示した靴３０の底部３２の基底１００の上に位置することが図示されている。基底１００の拡張に合わせて、インナーライナー１０２の縁部が互いに離れる方向で移動できるように、インナーライナー１０２は、基底１００上の「Ｕ」字型チャンネル１１０それぞれの上に位置したスロット１１２を備えている。
【００４２】
リップ１１６は底部３２を完全に周回しており、その結果、図６Ｂ乃至６Ｅに示したように、基底１００から上方に突出して、甲部３４を縫いつけて押し縁７２を形成するための場所を形成している。リップ１１６の拡大断面図を図６Ｂ１に示す。リップ１１６は、甲部の取り付けを容易とするために溝すなわちスロットを備えている。甲部３４の底部３２への結合は、図６Ｂ１では甲部３４がリップ１１６の上に位置するように示したが、甲部３４を底部３２に固定する他の方法を用いることができることは知られている。後述する図２２Ｂ１は、甲部３４を底部３２へ固定する別の機構を示す。更に、他の取り付け方法としては、甲部を底部のシャーシ３６の下に位置した個所に縫い付けるものが含まれる。縫いつけに加え、他の取り付け方法には、靴３０の甲部３４を底部３２に接着するか、又は靴３０の底部３２を甲部３４に成形するものが含まれる。
【００４３】
図６Ｅは、靴３０の底部３２のかかと領域の断面図を示す。後に明らかになるが、本実施形態では底部３２のかかと領域を拡張させるのは望ましくない。足のかかとの自然な緩衝能力を最大化するため、かかとは、緩衝性を得るために踵骨の下に脂肪パッドを維持することで所定位置に保持する。基底１００は第１材料部分１０４及び第２材料部分１０８を備えているが、第２材料部分１０８はこの領域では拡張するように設計されていない。図６Ｂ乃至６Ｄに示したものとは対照的に、第２材料部分１０８は断面が厚く、平坦化して拡張を可能とする幾何学的形状は備えていない。溝１０６の長手方向に延伸する側壁は下方外側に向かう角度で形成して、歩行又は走行中に、底部３２の足指部分が上方に曲がるか屈曲する時に、溝１０６及び底部３２が横に広がるか或いは開くようにする。すると、底部３２が真っ直ぐになる時、すなわち屈曲していない状態に復帰する時に、溝１０６及び底部３２が収縮する。結果的に、この靴の横方向の拡張及び収縮は、底部３２の屈曲及び復帰に応答して起こる。更に、図２２Ｂ１及び２７Ａに示したもののように、底部３２は、靴底１００の概ね中央に位置した、下向きの、長手方向に延伸した冠状部を備えることができる。靴底１００の冠状中央部は、側縁部の下方に延伸する。歩行又は走行中に冠状部を設けた靴底１００が接地して、底部３２を横方向に拡張させる時に、靴底１００が屈曲し且つ平坦化する。
【００４４】
図７Ａは、靴３０の底部３２の中央線に概ね沿った断面図である。図示した基底１００の断面は、第１材料部分１０４である。前部及び中足部領域では、図示した部分は、第２材料部分１０８間の第１材料部分１０４である。基底１００の上に位置しているのはインナーライナー１０２である。甲部３４を取り付けるためのリップ１１６は、靴３０の前後に図示されている。
【００４５】
図７Ｂは、拡張部分である第２材料部分１０８を通る断面図である。上述のように、かかと領域は、第２材料部分１０８で形成された部分を含むが、図６Ｅに示したような第２材料部分１０８の幾何学的形状及び厚さにより、かかとは、中足骨領域に関して既に説明したようには拡張しない。インナーライナー１０２を通る断面は、「Ｕ」字型チャンネル１１０の上に位置する底部３２の前方部分にあるスロット１１２を含む。
【００４６】
上述のように、靴３０の底部３２に力が加わって、足４０の中足骨５０領域が拡張する際に、底部３２は、第２材料部分１０８、特に「Ｕ」字型チャンネル１１０を伸展させ且つ屈曲させることにより拡張する。インナーライナー１０２は物理的には拡張しないが、図６Ｂ乃至６Ｄに最も明確に示したように、縁部の離反方向の移動を可能にするスロット１１２を備えている。
【００４７】
靴３０の底部３２は衝撃拡散プレートを含むこともできる。衝撃拡散プレートは、かかと区域において底部３２の基底１００の上に位置して、靴のかかとが地面に当たる衝撃を拡散する。衝撃拡散プレートは、引用してここにその全体を援用する米国特許第６，２０５，６８３号により詳しく記載されている。
【００４８】
靴３０の底部３２が拡張する際に、シャーシ３６は、足４０の様々な部位を適切に支持するという別の役目を果たす。シャーシ３６は、骨質の構造体の下方にある緩衝性をもたらす「脂肪パッド」を適切に支持し、所定の位置に保持可能な形状となっている。シャーシは複数の区域を備えている。各区域は、材料及び形状を選択することで、シャーシのその区域の上に位置し、それに接触する足の部分に合わせて特別に設計又は調整されている。足は移動時に荷重を動的に受けるが、この際に、シャーシは足が受ける力をうまく処理し且つ分散する。
【００４９】
図８Ａ及び８Ｂを参照すると、シャーシ３６の上面図及び底面図を示す。図２に関連して示したように、足４０は、かかと４６、中足骨部位５０、及び足指部位４４を含む様々な部位を備えている。図８Ａ乃至１０Ｂに示した実施形態では、シャーシ３６は複数の領域又は区域を備え、これら区域は、シャーシの上に位置しそれに接触する足の部分を反映するように調整されている。図示した実施形態のシャーシ３６は、図８Ａに示すように、かかと区域１２０、中足骨区域１２２、及び足指区域１２４を備えている。中足骨区域１２２と呼んではいるが、典型的な実施形態では、中足骨区域１２２は、第２乃至第５中足骨の下ではなく、ＭＰ関節５２及び第１中足骨の下に位置している。
【００５０】
図８Ｂは、シャーシ３６の底部分すなわち基層７６を示す。これは、図４に示したように底部３２のインナーライナー１０２に接触する部分である。シャーシ３６のこの底部分は複数の溝１２６を備える。溝１２６の目的は、シャーシ３６がより大きく屈曲できるようにすることである。溝１２６は区域１２０、１２２、及び１２４の輪郭を画定するので、溝の位置はこれら区域の縁部と一致する。シャーシ３６の底部分すなわち基層７６は、本実施形態では単一の材料から形成されている。溝１２６はシャーシ３６を撓みやすくする一方、区域を示すためにも使用できる。
【００５１】
図９Ａは、靴３０のシャーシ３６の長手方向の中央線に概ね沿った断面図である。シャーシ３６は基層７６を備えている。基層７６は、かかと区域１２０及び足指区域１２４の先端まで延伸している。基層の材料１３０は、かかと区域１２４が弾性的になるように選択する。中足骨区域１２２では、第２材料のインレイ１３２が、基層７６の上に位置している。インレイ１３２は、足４０の中足骨５０の緩衝材料となるように選択する。撓ませるための溝１２６も図示されている。
【００５２】
図９Ｂ乃至９Ｇは、図８Ｂの対応する線に沿った断面図である。かかと区域１２０及び足指区域１２４では、シャーシ３６は、図７Ｆ及び図９Ｂにそれぞれ示したように、底面から上面に延伸する材料１３０の基層７６を備えている。足指区域１２４は、図９Ｂに示したように湾曲形状を備えており、これは、図９Ｆに示したかかと区域１２０の平坦な底面とは対照的である。シャーシ３６の湾曲形状は靴３０の底部３２の拡張と協働して、上述のように荷重がかかった際に、縁部の離反方向への移動を可能とする。
【００５３】
同様に、図９C、９Ｄ、及び９Ｇを参照すると、これら断面は平面的でなく湾曲形状を備えており、圧力をシャーシ３６に加えると、底部３２と同様に、シャーシ３６が平坦化して靴の幅を広げることとなる。
【００５４】
更に、図９C、９Ｄ、及び９Ｇに示したように、中足骨区域１２２のインレイ１３２は基層７６の上に位置して、この領域に別の材料を設けている。図示した実施形態のインレイ１３２は、図９Ｄに示し、図８Ａに最も明確に示すように、土踏まず区域又は領域１２８にも延伸している。
【００５５】
図９Ｅは、インレイ１３２が、土踏まず区域１２８の基層７６の上に位置していることを示している。図９Ｄ及び９Ｇとは対照的に、図９Ｅにおける基層７６は、靴３０のこの部分は拡張しないので、平坦である。靴は、この領域（かかと区域１２０）では拡張しないのが望ましく、その理由は脂肪パッドを踵骨の下方に維持することにより、足のかかとを所定位置に保持して、かかとが本来持つ緩衝能力を最大化することが望ましいからである。
【００５６】
シャーシ３６は、支持のため、土踏まず領域１２８及び踵骨１２０に上端輪郭部１３６を備える。図９Ｆに示したように、かかと区域１２０では、湾曲した上端１３６は内側及び外側に設けられている。湾曲した上端１３６は、シャーシ３６の後部から前部に向かうにつれて高さが減少し、すなわち平坦になり、これは図９Ｄ、９Ｅ、及び９Ｇに示したように内側よりも外側においてその傾向が大きい。この湾曲上端は足を横方向から支持し、脂肪パッドを足の骨の下方に維持して緩衝性を高める。
【００５７】
図１０Ａは、図８Ａ乃至９Ｇのシャーシ３６の外側の側面図を示す。図１０Ｂは内側の側面図を示す。上述のように、インレイ１３２は、中足骨区域１２２において基層７６の上に位置し、内側では土踏まず領域１２８においてかかとに向かって後方に延伸する。シャーシ３６の湾曲形状は、足指区域１２４及び中足骨区域１２２に明確に見て取れる。同様に、かかと区域１２０の湾曲した上端１３６も図示されている。
【００５８】
靴３０の一実施形態の底部３２及びシャーシ３６を説明したところで、これから甲部３４について詳述する。図４を再度参照すると、履物の有用寿命期間では、レザーは典型的には拡張するが、靴３０は、足４０が動く際に拡張した後で以前の状態に戻り、足４０を快適にし、支持する部分（拡張部分８８）を備えている。更に、靴３０は、例えばユーロコンフォートに比べてもより調整されているように見える。
【００５９】
図１１Ａを参照すると、拡張可能なオメガ型継ぎ目１４０を備えた甲部３４の拡大断面図を示す。オメガ型継ぎ目１４０は、甲部３４の側部９０及び上部分９２の２つの材料片に、一対の針目１４２によって縫いつけられている。足が膨張すると、甲部３４の上部分９２が上方に偏向して、図１１Ｂに示したように、オメガ型継ぎ目１４０がより平坦な状態まで伸張する。
【００６０】
図１２Ａは、甲部３４の側部９０と上部分９２とを結合する代替拡張部分を示す、甲部３４の一部の断面図である。この拡張部分は、拡張可能材料の一片からなるゴーリング１４４である。二片の材料９０及び９２が互いに隣接するように引きつけられている。ゴーリング１４４は、側部９０及び上部分９２の２つの材料の下に位置する。ゴーリング１４４は複数列の針目１４２で縫いつけられており、両方の材料を固定する。
【００６１】
図１２Ｂを参照すると、足が膨張すると、ゴーリング１４４が伸張して足と共に拡張する。同様に、足が収縮して、ゴーリング１４４が元の寸法まで収縮すると、甲部３４の２つの材料９０及び９２を互いの隣接位置まで戻して、足を快適なぴったり合った位置で保持する。
【００６２】
靴３０の甲部３４に関しては、継ぎ目のゴーリング１４４或いは拡張可能なオメガ型継ぎ目１４０は足を安定させる一方、足の動きに合わせて甲部３４の拡張及び収縮も可能にする。継ぎ目のゴーリング１４４又は拡張可能なオメガ型継ぎ目１４０を代替するものとしては、伸縮レザー、ネオプレン、ライクラ、スパンデックスのような材料か、又は一定方向に伸縮するが他の方向では足を適切な位置に保持する、任意適切な伸縮性材料を用いる。
【００６３】
図３に示した靴３０は甲部３４に内張り９４を備えているが、足４０をぬれた環境から保護するため、一定の高さで足を周回する防水ライナーを設けるのが好ましいことがある。上述のように、靴３０は、中足骨区域１２２において拡張及び収縮する。快適性を最大限に高めるためには、防水性と通気性があるライナーも、靴のその他の部分に合わせて拡張及び収縮する必要がある。このライナーは防水性を備えるだけでなく、足の呼吸を可能とし且つ汗のような水分を靴から逃がすように通気性がある。
【００６４】
靴３０用の防水及び通気性を備えたライナー１５０の側面図を図１３Ａに示す。図示した実施形態の防水及び通気性ライナー１５０は、伸縮性領域１５２と非伸縮性領域１５４を備えている。好適な一実施形態では、両方の領域とも、湿気を逃がすが湿気や水を入れないことにより足が呼吸できるようにする防水及び通気性膜製である。この防水及び通気性膜には、微孔性且つ親水性基材、又は一方向にしか水蒸気及び／又は低圧空気の通過を促進しない他の類似した基材が含まれる。
【００６５】
靴の製造においては、甲部３４を周回させてその周囲に成形し、底部３２に固定する靴型１５６と呼ばれるフォームを用いるのが一般的である。図１３Ａでは、防水及び通気性ライナー１５０を靴型１５６に装着した状態で示した。
【００６６】
図１３Ａを続けて参照すると、ライナー１５０の伸縮性領域１５２も非伸縮性領域１５４も、一連のパネル１５８ａ、１５８ｂ、１６０ａ、及び１６０ｂで作製されている。伸縮性領域１５２の２つのパネル１５８ａ及び１５８ｂは互いに縫い合わせる。同様に、図１３Ｂに示したように、パネル１５８ａがパネル１６０ｃに縫いつけられている個所で、伸縮性領域１５２を非伸縮性領域１５４に縫いつける。
【００６７】
パネル１５８ａ、１５８ｂ、１６０ａ、及び１６０ｂは靴型１５６の上に位置しているが、これらパネルは靴型１５６に固着されてはいない。例えば、従来の非伸縮性ライナーのようなライナーのこうした方法による縫い合わせを、典型的にはストロベル靴型製造（原語：strobel last construction）と呼ばれる。ここで記載する製造は、後述するように従来のストロベル靴型製造ではない。防水及び通気性ライナー１５０のパネル１５８ａ、１５８ｂ、１６０ａ、及び１６０ｂが結合されている継ぎ目は、防水テープ１６６を用いて張り合わせてある。図１３Ｃにおいて、針目は防水テープの下の隠れ線として示してある。このテープは上述の膜に類似した通気性及び伸縮性を備えていてもよいが、その主たる機能は、縫い合わせた継ぎ目上に防水シールを設け、これがなければ別々のブーティパネルの機械的連結性を補強することである。
【００６８】
図１３Ａ乃至１３Ｄに示した製造方法では、パネル１５８ａ、１５８ｂ、１６０ａ、及び１６０ｂは、靴型１５６上に配置する前に縫い合わせる。
【００６９】
パネル１５８ａ、１５８ｂ、１６０ａ、及び１６０ｂを縫い合わせて、継ぎ目をテープで貼り合わせると、図１３Ｃ及び１３Ｄに示すように、ガスケット１６４を、パネル１６０ａ及び１６０ｂの非伸縮性領域１５４と、パネル１５８ａ及び１５８ｂの伸縮性領域１５２の後部分とに接着固定する。ガスケット１６４は非伸縮性でかかとの下に位置し、かかとは靴３０の非伸縮領域である。ガスケット１６４は不透水性材料である。ガスケット１６４を非伸縮性膜ライナーの代わりに使用するのは、ナイロン、ＴＰＵ、又はＥＶＡなどの不透水性表面に当接する場合は通気性は不要であることと、接合と遮断を実現する接着構造の組合せが製造上の効率を引き上げることなどの幾つかの要因による。
【００７０】
パネル１５８ａ、１５８ｂ、１６０ａ、及び１６０ｂは、靴型１５６の底面を完全に囲んでいない。ガスケット１６４が、靴型１５６の底面の被覆を完全なものにする。パネル１６０ａのようなパネルを靴型１５６上で折り曲げ、ガスケット１６４のような別のパネルを接着剤や接合剤で固定することは、典型的には接着靴型製造と呼ばれる。図１３Ａ乃至１３Ｄを参照して説明したストロベル靴型製造と接着靴型製造の組合せは、高度組合せ製造（ＡＣＣ）と呼ばれ、米国特許第６，２０５，６８３号にストロベル縫い合わせ及び結合製造が記載されている。
【００７１】
ガスケット１６４を防水及び通気性ライナー１５０に固着する前に、パネル１５８ａ、１５８ｂ、１６０ａ、及び１６０ｂが防水テープ１６６で張り合わされている部分の継ぎ目を図１３Ｄに示した。このテープは上述の膜に類似した通気性及び伸縮性を備えていてもよいが、その主たる機能は、縫い合わせた継ぎ目上に防水シールを設け、これがなければ別々のライナーすなわちブーティパネルの機械的連結性を補強することである。
【００７２】
一実施形態では、ガスケット１６４は、広い温度範囲（例えば華氏−１３度（摂氏−２５度）乃至華氏１００度（摂氏３８度））にわたって耐屈曲亀裂性を備えた等方向強度を具備した材料で作製されている。又、ガスケット１６４は、高温／高湿度環境（例えば、典型的には華氏１２０度（摂氏４９度）、９８％相対湿度）において、延伸角度屈曲を行った後に、結合保持強度及び製品保全性からも不透水性を維持可能である。
【００７３】
図１３Ｆに防水及び通気性ライナー１６８の代替構成を示す。防水及び通気性ライナー１６８は、５つのパネル１６０ａ、１６０ｂ、１６０ｃ、１６０ｄ、及び１５８ａを備えている。ライナー１６８は、足指からかかとまで延伸して非伸縮性領域１５４を形成する４つのパネル１６０ａ、１６０ｂ、１６０ｃ、及び１６０ｄを備えている。伸縮性パネル１５８ａは、くるぶしの前部において足の上に位置する伸縮性領域１５２を形成し、概ね靴の舌が位置する個所の下にある。この防水性ライナーは、上述のようなガスケット又は図１４Ｃ乃至１４Ｄに関連して説明する足の下部全体に位置したガスケットを具備することもできる。通気性ライナーの幾つかの部分が足全体の下に位置してもよいことは理解されている。
【００７４】
代替的な防水及び通気性ライナー１７０を図１４Ａ及び１４Ｂに示す。防水及び通気性ライナー１７０は、３つのパネル１５８ａ、１５８ｂ、及び１５８ｃを具備した伸縮性領域１７２と、一対のパネル１６０ａ及び１６０ｂを具備した非伸縮性領域１７４とを備えている。パネル１５８ａ、１５８ｂ、１５８ｃ、１６０ａ、及び１６０ｂすなわちボトムレスブーティー部品は、閉継ぎ目により、或いは縁を合わせて、ジグザグ、メロー、又は類似の縫い方で組み立てる。縫った継ぎ目は、手で塗布した防水接着方式か、或いは小出し装置（例えば、熱活性化テーピング１６６）により封止する。
【００７５】
履物すなわち靴３０を製造する際に、防水及び通気性ライナー１７０は、甲部３４の作製時に甲部３４に取り付けるか、或いは、甲部３４を形成した後から甲部３４に挿入する。何れの場合も、ライナー１７０は典型的には縫製により最も高い所望の防水点の上に取り付け、足指領域などのそれ以外の個所では典型的には接着剤で取り付け、このライナーの甲部３４に対する移動やずれがないようにし、又、甲部に合わせて拡張し、元の状態に復帰できるようにする。シャーシ３６は、防水性ライナーの底部及び／又はガスケットの上に位置してライナーを所定の位置に維持する。
【００７６】
防水及び通気性ライナー１７０は、甲部３４を靴型すなわちフォーム１５６の周囲に形成する前に靴型に装着するか、或いは甲部３４と共に装着する。フォームすなわち靴型１５６には中底すなわちシャーシ３９８を一時的に取り付けて、防水及び通気性ライナー１７４が容易に成形できるようにしてもよい。
【００７７】
上述のように、このライナーは結合製造を用いて部分的に形成する。図１４Ａ及び１４Ｂに示した実施形態では、ライナーの底部の前部はストロベル製造を用いて作製する。ライナーの底部の後部は接着靴型製造を用いて組み立てる。接着靴型製造の部分では、接着バンドを防水及び通気性ライナー１７０の内張り及び中底３９８に貼り付ける。このライナーは平坦な状態を維持するために「持続性余裕」を備えている。典型的な実施形態では、この余裕は、靴型の薄い縁部（原語：feather edge）から０．７５インチ（１９ｍｍ）である。防水ライナーは靴型すなわちフォーム１５６に沿って折り曲げられ、中底３９８と接触させる。防水及び通気性ライナー１７０を靴型すなわちフォーム１５６に引きつける際に、防水及び通気性ライナー１７０や中底３９８材料をマッサージして、材料が集中している領域における襞やしわを最小限にする。（すなわち、材料の襞は均等か平坦で、一個所で不均一にこぶにならない。）理想的には、靴型すなわちフォーム１５６又は中底３９８の底部は予め印を付けて、防水及び通気性ライナー１７０又はボトムレスブーティーを靴型すなわちフォーム１５６又は中底３９８に引きつける時は、このライナー又はブーティーを適切に位置決めするための基準点を含める。
【００７８】
図１４Ｂを参照すると、防水及び通気性ライナー１７０を中底３９８に固着した後で（図１４Ａに示す）、ガスケット１６４をかかと領域に固着する。上述の実施形態と同様に、縫い合わせた継ぎ目には、ガスケット１６４を固着する前にテープを貼る。分かり易くするため、図１４Ｂにはこのテープは図示しない。
【００７９】
上述の実施形態は非伸縮性ガスケットについて述べたものだが、例えばガスケットが底部全体を覆うような一定の状況では、伸縮性ガスケットが好ましいので使用される。図１４Ｃ及び１４Ｄは、全面ガスケット付き底部を設けた防水及び通気性ライナー３００の代替構成を示す。図１４Ｃは防水及び通気性ライナー３００を示したもので、非防水性の伸縮性パネルすなわち材料３０２を、この防水性ライナーのパネル３０４ａ及び３０４ｂの底部の前部に縫いつけて、これらの型を１つに保持してある。必要に応じて伸縮性パネル（非防水性のインサートも含む）は型に挿入して、３６０度の拡張と収縮を容易にする。底部ガスケット３０８は薄い縁部に合うような寸法で作られている（典型的には、外側針目の継ぎ目端を５ｍｍ超過させる）。ガスケット３０８を幾つかの継ぎ目上に延伸させることで、これらの継ぎ目は、それに加えてテープ張りの必要がなくなる。ガスケット３０８で被覆されていない継ぎ目は、ガスケット３０８を貼り付ける前にテープ張りをする。分かり易くするため、図１４Ｄにはテープは図示しない。
【００８０】
図１４Ｅに防水及び通気性ライナー３１４の代替製造方法を示す。防水及び通気性ライナー３１４を図１４Ｅに示す。防水及び通気性ライナー３１４は、伸縮性領域３１６及び非伸縮性領域３１８を形成する伸縮性材料３１６及び非伸縮性材料３１８の何れか或いは両方からなる１つ又は複数パネルで形成されている。上述の実施形態と同様に、パネル３２０ａ、３２０ｂ、３２２ａ、及び３２２ｂは底部全体を覆っていない。その代わり、図１４Ｆに最も明確に示したように、パネル３２０ａ、３２０ｂ、３２２ａ、及び３２２ｂは、折り返して紐又はコード３２８を収容するチャンネル３２６を形成する層３２４を備えている。ボトムレスの防水及び通気性ライナー３１４は、靴型すなわちフォーム１５６に装着されている。靴型１５６には中底すなわちシャーシ３３０が装着できる。コード３２８は引っ張って、ボトムレス防水及び通気性ライナー３１４を靴型１５６の周りに均等に集める。接着靴型製造と同様に、材料をマッサージして集中領域での襞やしわを最小化できる。
【００８１】
ボトムレスの防水及び通気性ライナー３１４を、中底３３０を付けた或いは付けない状態で靴型すなわちフォーム１５６に対して均等に引っ張ると、コード３２８が先頭端で締まるか、或いは靴型すなわちフォーム１５６に成形されているか、或いは、上述の中底３３０に成形するか又は取り付けたピンまで締まる。理想的には、靴型すなわちフォーム１５６又は中底３３０の底部には予め印を付けて、ボトムレスブーティーを靴型すなわちフォーム１５６又は中底３３０に引きつける時は、適切に位置決めするボトムレスブーティーの基準点を含める。フォーム１５６又は中底３３０に引きつけて、適切に位置決め且つ固着した後は、この履物を防水にするには、典型的には防水ガスケット材料３３２を取り付ける必要がある。しかし実施形態によっては、底部３２を、防水及び通気性ライナー３１４及びおそらくは甲部３４に直接射出又は加流して、その個所に防水底部３２を形成し、ガスケット３３２を不要としてもよい。
【００８２】
この防水及び通気性ライナーを組み立てるための、これ以外の技法を使用できることは知られている。どの形式の防水及び通気性ライナーを使用するかを決定する要素の１つは、靴のデザインである。例えば、１つの判断基準は甲部の拡張及び復元部分の位置である。図１３Ｅに示したように、形状を保持するには、特定の型からなる足指区画に非伸縮性材料を配置するのが好ましい場合もある。
【００８３】
開示した幾つかの実施形態では、この防水及び通気性ライナーは、ＳＡＴＲＡ  ＰＭ４７に従った測定で３．６ｍｇ／ｃｍ２／時間以上の透湿性等級を備え、更に、耐摩擦性及び突き刺し性を備えた保護外部層を具備し、更に、飽和状態で且つ／又は外側の甲部材料に結合した状態で引っ張りによる裂けを最小化する。幾つかの実施形態では、このライナーは、発泡剤、インシュレータ、及び／又は内張り材に積層して、防水内張りパッケージを形成する。この時点で、この集成体は、任意の数の履物構成代替物に組み込む用意ができており、組み込まれれば、内在する快適性を備えた防水製品が完成するが、この快適性は、水蒸気を集成体外部に放出する一方、外部源からの水の進入を防止し、動的な密着をもたらし、装着者の可変体重負荷要件に合わせて変動するこの製品の機能によるものである。
【００８４】
底部３２及び甲部３４は、図４に示した押し縁７２などの従来の方法で互いに固着させる。しかし、これら２つの部分の固着は、上述の防水及び通気性ライナーの構造及び特徴を無駄にしない様態で行う必要がある。
【００８５】
防水及び通気性ライナーを取り付けたか否かにかかわらず、底部３２及び甲部３４を互いに固着した状態で、シャーシ３６を靴３０内に挿入して靴３０の一部とする。
【００８６】
上述のように、足の形状は動的であり、足に荷重がかかり又それが除去される際に足の形状は変化する。上述の底部、シャーシ、及び甲部を含んだ靴は、快適な状態で足への動的荷重を実現する。底部は、拡張接合部及び冠状部と共に拡張及び収縮する。このシャーシは、典型的な３つの荷重地点よりも広い面積にわたって足にかかる力を分散するので、圧力を減少させる。同様に、このシャーシの湾曲形状を底部と組み合わせたことにより、このシャーシは形状も拡張する。甲部は足の動きに合わせて拡張及び収縮する。これら底部、シャーシ、及び甲部の構造及び特徴を組み合わせたことで、外見的にも優れた、快適で支持性が高い靴ができる。
【００８７】
単一の実施形態を幾つかの代替的防水及び通気性ライナーと共に説明したが、代替実施形態も同等の利点を有することは理解されている。４つの区域すなわち領域を備えた代替シャーシ１７６を図１５Ａに示す。かかと及び内側土踏まずの両方に単一の区域を備えた図８Ａ乃至１０Ｂに示したシャーシ３６とは対照的に、シャーシ１７６は、かかと区域１７８及び土踏まず区域１８０を備えている。これは、中足骨区域１８２及び足指区域１８４を備えたシャーシ３６に追加したものである。さらに、上述の実施形態とは対照的に、移行帯１８６が、性質特性が変わるかかと区域１７８と土踏まず区域１８０との間に位置していて、性質特性は、典型的には、かかと区域１７８の固い弾性領域からジュロメータ値が低い／軟質材料へと変わる。図１５Ｂ乃至１５Ｄに示した表は、土踏まず区域である区域３全体における移行を表したものだが、この移行は、図１５Ａに示したような小さな領域で実現可能なことは理解されている。図１５Ｃに示した実施形態では、区域３の残りの部分は、中程度の硬度及びアスカーＣ硬度等級が４０乃至５０度の材料などの、均等な性質を備えることができる。
【００８８】
図１５Ｂに概略的に示した実施形態では、シャーシ１７６は少なくとも６ｍｍの厚さを備えている。かかと区域１７８は、アスカーＣ硬度の等級が４０乃至５０度のインサートを具備している。アスカーＣは、硬度測定に用いられるジュロメータと似た尺度である。アスカーＣ尺度は典型的には軟質材料に用いられる。（図１５Ｂ乃至１５Ｄに関連したインサートという語句は、この構成要素の付加が、例えば、残りの層が二重成形／押出工程のような製造過程において結合形成／成形された後に、例えば、接着剤を用いた二次的動作で行われることを示している。）このインサートの上には、アスカーＣ硬度等級が６０乃至６５度の固い特性を備えた第２層が位置している。土踏まず区域１８０（区域３）は、この固い層が上に位置する、アスカーＣ硬度の等級が３０乃至３５度の軟質層を備えている。厚さ全体は一定だが、固い上部層の厚さはテーパすなわち薄くなり、軟質層の厚さはかかと区域１７８から前方に移るに従って増加する。この実施形態の中足骨区域１８２（区域２）は、軟質材料のみで形成されている。最後の区域（区域１）であるシャーシ１７６の足指区域１８４は、固い材料の上層と軟質材料の底部層とを備えている。
【００８９】
より快適で耐久性が高いシャーシ１７６であり、製造コストがより高いシャーシと考えることもできる図１５Ｃに概略的に示した代替的な実施形態では、シャーシ１７６は少なくとも８ｍｍの厚さを備えている。かかと区域１７８は、中程度の硬度と考えられる下層を具備しており、アスカーＣ硬度の等級は４５乃至５０度である。かかと区域１７８の上部層は、上述の実施形態と類似したより固い硬度材料である。土踏まず区域１８０は、固い硬度材料が上に位置した中程度の硬度材料を備えている。この固い硬度材料の厚みは、上述の実施形態と同様に、テーパすなわち徐々に薄くなる。中足骨区域１８２及び足指区域１８４は、下層と同様に、アスカーＣ硬度の等級が４５乃至５０である中程度の硬度材料を備えている。インサートが、中足骨区域１８２及び足指区域１８４の中硬度材料の上又は下に位置している。中足骨区域１８２のインサートは、ポロン（原語：Poron）（商標）又はポリウレタンなどのアスカーＣ硬度の等級が３０乃至３５である軟質材料を備えている。足指区域１８４のインサートは、ポロン（商標）又はポリウレタンなどのアスカーＣ硬度の等級が４５乃至５０である中程度の硬度材料を備えている。これらインサートの材料は似通っているが、硬度などの材料の性質は特定の区域に合わせて選択する。
【００９０】
図１５Ｃを続けて参照すると、中足骨区域１８２は、アスカーＣ硬度の等級が３０乃至３５である軟質の硬度材料の特性を備えたポリウレタンである。足指区域１８４は、アスカーＣ硬度の等級が４５乃至５０である中程度の硬度材料の特性を備えたポリウレタンである。同一の材料特性を備えた２つの層を足指区域に設けた理由は、製造工程で、１つをインサートとして加える前に、もう一方の層を一緒に形成／成形するからである。
【００９１】
より快適で耐久性が高いシャーシ１７６であり、図１５Ｂ及び１５Ｃに概略的に示したものより製造コストがより高いシャーシと考えることもできる図１５Ｄに概略的に示した代替的な実施形態では、シャーシ１７６は少なくとも１０ｍｍの厚さを備えている。上述の実施形態とは対照的に、シャーシ１７６は、成形した底部１８８及び上部インサート１９０を備えている。成形底部１８８は、アスカーＣ硬度等級が４５乃至５０度のポリウレタン製である。上部インサート１９０は緩性復元材料であり、これは、この材料が足にしっくり合って、足とシャーシ１７６との接触面積が増加し、圧力分布が向上することを意味する。足にしっくり合う一方、この緩性復元材料は無荷重状態への復元が遅く、従って、足が歩行周期を経る際に、この材料は部分的に復元するが、足の形状の一部又は全部をなお維持する。この実施形態の上部インサート１９０は、緩性復元するポロン（商標）などのウレタン製である。
【００９２】
シャーシ１７６の４区域を画定する４つの区域を備えた１つの層が、成形底部１８８と上部インサート１９０からなる２層の間に挿入されている。かかと区域１７８は、固い硬度の材料を具備している。第１実施形態と同様、土踏まず区域１８０（区域３）は、軟質硬度の材料及び固い硬度の材料を両方具備している。
【００９３】
図１５Ｅにシャーシ１９２の代替実施形態を示す。この実施形態は、概ねに３つの区域が図示されている点で図８Ａ乃至１０Ｂに示した実施形態と幾つかの局面で類似している。シャーシ１９２は、全域に延伸するＴＰＵなどの基底すなわち基層１９４を備えている。シャーシ１９２は、スタイル又はファッション性を主要な目的としたレザーの上部層すなわち上層１９６を備えることが図示されている。間に挿入されているのは、様々な材料或いは少なくとも様々な特性を備えた単一の材料からなる層１９８である。
【００９４】
図８Ａ乃至１０Ｂに示した実施形態のシャーシとは対照的に、このシャーシは移行帯２００を備えている。例えば、図１５Ｅに示したかかと及び土踏まず区域（区域４及び３）は、硬度が中程度の材料を備えている。中足骨区域は、硬度等級が軟質の材料を備えている。「中程度」材料から「軟質」材料へは一定の距離の間で移行する。同様に、中足骨区域から「固い」特性を備えた足指区域へも、一定の移行距離の間で移行する。図１６Ａ乃至１８Ｇに示し且つ後述するように、かかと及び土踏まず区域では、埋込インサートを含めて特性を更に調整することができる。
【００９５】
図１５Ｆに、移行帯を備えたシャーシ２０２の代替的な第５実施形態を示す。シャーシ２０２は、様々な材料或いは少なくとも様々な特性を備えた単一の材料からなる単一層２０４を具備している。上述の実施形態とは対照的に、移行は、かかと区域１２０全体及び足指区域１２４全体で行う。
【００９６】
図１６Ａ乃至１６Ｂは、それぞれ、靴３０のシャーシ２０６の代替実施形態の上面図及び底面図を示したものである。シャーシ２０６は、かかと区域２０８、中足骨区域２１０、及び足指区域２１２を備えている。シャーシ２０６は、かかと区域２０８を画定するインサート２１４を備えている。
【００９７】
一実施形態では、インサート２１４はポリウレタン製である。この実施形態のかかと区域２０８は土踏まずを含む。このインサートは、土踏まずの下に位置する複数の突出部すなわちフィンガー２１６を備える。フィンガー２１６は、インサート２１４の屈曲を助け、この部分にかかとの下部よりも軟質の領域を形成する。
【００９８】
図１７Ａ乃至１７Ｂは、シャーシ２０６の断面図を示す。シャーシ２０６は複数の材料から形成されている。上述のように、土踏まず部分の内側のインサート２１４は複数のフィンガー２１６を備えている。フィンガー２１６は一連のスロット２１８を形成する。
【００９９】
インサート２１４の下に位置すると共にスロット２１８内でフィンガー２１６の間に挟まれているのは、ベース材料２２０である。インサート２１４の上には、上部すなわち仕上げ材料２２２が配置されている。
【０１００】
更に、上述のシャーシとは対照的に、このシャーシ２０６はコップ状かかと部分２２６を備えている。コップ状かかと部分２２６は、内部支持層２２８及び一対の外部被覆２３０を備えている。図１７Ａに示したように、コップ状かかと部分２２６は、インサート２１４と上部材料２２２との間に固定されている。
【０１０１】
コップ状かかと部分２２６が甲部３４の一部として形成されるのでなく、シャーシ２０６の一部となっているので、かかと領域において足４０と靴３０とが摩擦しにくい。シャーシ２０６は、その動きが地面との相互作用により影響される底部３２及び甲部３４とではなく、足４０と共に動く。
【０１０２】
シャーシ２０６の外側に近い断面図を図１７Ｂに示す。インサート２１４は、ベース材料２２０と上部材料２２２との間に挟まれている。コップ状かかと部分２２６は、インサート２１４と上部材料２２２との間に固定されている。ベース材料２２０はシャーシ２０６の全長に延伸しているが、上部層は、かかと区域２０８から中足骨区域２１０で移行している。シャーシ２０６は、中足骨区域２１０においては、かかと区域２０８の上部材料２２２とは異なる上部材料２３４を備えている。
【０１０３】
概ね中央線に沿ったシャーシ２０６の断面図を図１８Ａに示す。かかと区域２０８と、中足骨区域２１０と、足指区域２１２とからなる３つの領域は、上部材料２２２、２３４、及び２３６として使用されている異なる材料により画定されている。上述のように、シャーシ２０６は、３つの領域又は区域、すなわちかかと区域２０８と、中足骨区域２１０と、足指区域２１２とを備えている。かかと区域２０８の上部材料２２２は、弾性的なものが選択されている。中足骨区域２１０の上部材料２３４は、緩衝性がある種類の材料が選択されている。
【０１０４】
図１８Ｂ乃至１８Ｇは、シャーシ２０６の様々な位置における断面図を示す。図１８Ｆ及び１８Ｇでは、カップ状かかと部分２２６の側部を示した。上述のように、カップ状かかと部分２２６は、インサート２１４と上部材料２２２との間に挟まれることでシャーシ２０６の残り部分に固着されている。
【０１０５】
図１９Ａ及び１９Ｂは、それぞれシャーシ２０６の外側図及び内側図を示す。コップ状かかと部分２２６は、シャーシ２０６の残り部分から上方へ突出している。ベース材料２２０は、シャーシ２０６の全長にわたって延伸していることが図示されている。上部材料２２２、２３４、及び２３６は、それぞれの区域でベース材料２２０の上に位置している。
【０１０６】
靴３０の断面図を図１９Ｃに示す。靴３０は底部３２及び甲部３４を備えている。甲部３４は拡張部分８８を備える。甲部３４はリップ１１６において底部３２に縫いつけられている。
【０１０７】
更に、この靴は図１７Ａ乃至１９Ｂに示したものと似たシャーシ２０６を備えている。シャーシ２０６は、かかと区域２０８、中足骨区域２１０、及び足指区域２１２を含む複数区域を備えている。シャーシ２０６は、カップ状かかと部分２２６を備えている。上述の実施形態とは対照的に、カップ状かかと部分２２６は、甲部３４に設けた開口部２９６を通って延伸するつまみ２９４を備えている。
【０１０８】
つまみ２９４と甲部３２との相互作用により、シャーシ２０６が甲部３２に連結、或いはシャーシ２０６が甲部３２に対して正しく重ね合わせられる。この重ね合わせにより、シャーシ２０６が、甲部３４及び靴３０の残り部分に対して前後方向に移動するのを防止する。シャーシ２０６を甲部３４に対して正しく重ね合わせることで、足は、シャーシ２０６と共に移動する際に甲部に擦れ合うことがない。つまみ２９４を用いてシャーシ２０６を甲部３２に正しく重ね合わせることで、上述したように底部３２が必要に応じて拡張し、シャーシ２０６が足への圧力分布を動的に処理する。
【０１０９】
靴３０の残り部分、底部３２、又は甲部３４へのシャーシ２０６の正しい重ね合わせは、他の技法を用いて達成可能であることも理解される。例えば、シャーシにレール又は突起を設けて、それを底部に設けた相補的な空所に収容してもよい。更に、幾つかの実施形態では、シャーシを靴の残り部分に嵌合させるだけでも正しい重ね合わせに至る。
【０１１０】
図１９Ｄ及び１９Ｅは、カップ状かかと部分２２６を含んだシャーシ２０６を備えた代替的な靴を示す。甲部３４は、上方に突出すると共に留め具３４０を備えたつまみ３３８を具備している。シャーシ２０６のカップ状かかと部分２２６は、甲部３４の履き口３４２の上部に延伸している。図１９Ｅに最も明確に示したように、靴の履き口３４２は、かかと部分では凹状切り欠き部を備えている。カップ状かかと部分２２６は、つまみ２９８の留め具３４０に相補的な留め具３４４を備えている。留め具３４０と留め具３４４との相互作用により、シャーシ２０６が、甲部３４に連結すなわち甲部３２に対して正しく重ね合わせられる。
【０１１１】
シャーシ２０６を甲部３４に正しく重ね合わせるための連結機構３４６の拡大図を図１９Ｆに示す。シャーシ２０６の連結機構３４６は、甲部３４の上に重なると共にそれに固定され、シャーシを甲部３４に正しく重ね合わせる。
【０１１２】
このシャーシは底部から取り外しできるように図示されているが、個別の区域（これら区域と相互作用する足の対応部分に合わせて調整されている）は、底部３４に固着されたシャーシ構成要素を具備することもできる。或いは、シャーシの幾つかの構成要素を底部に固着する一方、シャーシの他の構成要素は靴の残りの部分から取り外し及び除去可能としてもよい。
【０１１３】
図２０は、底部２４２を備えた代替的な靴２４０を示す。底部２４２は、平坦でない底面すなわち靴底２４４を備えている。底面２４４は冠状部すなわち凹状表面をそなえ、外側縁部２４６及び内側縁部２４８からなる縁部は中央領域２５０に比べて上方位置にある。底部２４２に荷重がかかり、底面２４４が平坦化すると、外側及び内側縁部２４６及び２４８は互いから離反方向へ動き、この湾曲を備えた領域において靴２４０を拡張する。典型的には、この湾曲は中足骨区域及び足指区域に位置している。
【０１１４】
図２１Ａを参照すると、底部２４２の底面２４４が図示されている。図３乃至７Ｂに示した靴とは対照的に、底部２４２は両縁部の離反方向への移動を可能にする拡張部分を備えていない。
【０１１５】
図２１Ｂは、底部２４２の上側を示す。底部２４２は、外底２５４に加えて上部層２５６も備えている。上部層２５６は、かかと及びフレーム区分２５８及び一対の小型インレイ２６０及び２６２を備えている。インレイ２６０及び２６２は互いに隣接しており、かかと及びフレーム区分２５８のフレーム区分個所に囲まれている。一方のインレイ２６０は足指区域に位置し、他方のインレイ２６２は中足骨区域に位置している。底部２４２には、かかと領域から土踏まず区域を通過して中足骨区域付近に至る、隠れ線で示した支持用の踏まず芯２６４が配置されている。この実施形態では、インレイ２６０及び２６２は、上述のシャーシの区域の機能に類似した機能を備えた区域を底部２４２に形成している。
【０１１６】
底部２４２の中央線に概ね沿った断面図を図２２Ａに示す。底部２４２は、底面２４４を備えた外底２５４を持つ。上部層２５６のかかと及びフレーム区分２５８は、かかと及び土踏まず領域と靴の前端に図示されている。かかと及びフレーム区分２５８内には、靴３０の土踏まず区域を強化する踏まず芯２６４が配置されている。中足骨区域及び足指区域は、それぞれ異なるインレイ２６０及び２６２を備えている。
【０１１７】
好適な一実施形態では、外底２５４は、耐摩耗性及び滑り止め特性を考慮してゴム製とする。足指区域のインレイ２６２は、アスカーＣ硬度等級が４５乃至５０度のポリウレタン製である。中足骨区域のインレイ２６０は、アスカーＣ硬度等級が３０度のポリウレタン製である。これらインレイ２６０及び２６２は、両方とも緩衝性及び弾性を考慮して選択されている。好適な一実施形態では、支持用踏まず芯２６４は、成形又は打ち抜いたナイロン、ＴＰＵ、又は鋼鉄などの堅い材料で作製されている。
【０１１８】
図２２Ａ乃至２２Ｅは、底部２４２の断面図を示す。底部２４２は、甲部３４に固着するためのリップ２６６を備えている。リップ２６６は、上部層２５６のかかと及びフレーム区分２５８に載置されている。
【０１１９】
図２２Ｂに示したように、外底２５４の底面２４４は平坦でなく、冠状部が設けられている。底部２４２の底面２４４の縁部２４６及び２４８は、中央領域２５０に比べて上方位置にある。足踏みのような荷重が靴３０の底部２４２にかかると、底面２４４は平坦化して、外側及び内側縁部２４６及び２４８が離反方向に移動する。上述のように、快適性に加えて、靴３０の中足骨区域の拡張による１つの利点は、この靴が無荷重状態でより調整されているように見えることである。
【０１２０】
図２２Ｃ、２２Ｄ、及び２２Ｅは、それぞれ底部２４２の断面図を示す。支持用踏まず芯２６４は、上部層２５６のかかと及びフレーム区分２５８内を延伸している。図２２Ｄ及び２２Ｅに示したように、底面２４４はかかと領域において僅かに湾曲しているが、この僅かな湾曲と上部層２５６がより厚いことにより、かかと領域が中足骨区域にくらべほんの僅かしか拡張しない。
【０１２１】
図３乃至７Ｂの実施形態とは対照的に、甲部は、押し縁を介して側部まで水平の針目によって縫いつけられていない。図２２Ｂ１に示したように、対照的に、甲部は、一列の針目２６８によって底部２４２の外底２５４に縫いつけられている。この実施形態のリップ２６６は、甲部３４の形状を維持する助けとなる。シャーシ３６は、底部２４２の上に位置しているのが図示されている。
【０１２２】
リップ２６６の拡大図を図２２Ｄ１に示す。甲部３４は、リップ２６６の中央寄りに配置された状態で垂直針目により縫いつけられている。
【０１２３】
図２３Ａ及び２３Ｂを参照すると、底部２４２の内側及び外側を示す。外底２５４と上部層２５６のかかと及びフレーム区分２５８とが図示されている。同様に、甲部３４を保持する助けとなるリップ２６６も図示されている。
【０１２４】
図２４Ｂを参照すると、代替的な底部２７２は、上部層２７６のかかと及びフレーム区分２７８に取り囲まれたインレイ２７４を備えている。しかし、上述の実施形態とは対照的に、図２５Ｃに示したように、インレイ２７４は変位材料であって、外底２８０の上に位置してはいるが、ポート２８２を介して外底２８０の底面２８４に向かって延伸している。足４０がシャーシ３６に圧力を加えると、この図には示されていないが、変位材料のインレイ２７４は、図２４Ａに示すように靴３０の靴底チャンネル２８６の中に押し入れられ、靴内部の空間を増大させる。
【０１２５】
図２５Ａは、靴３０の底部２７２の中央線に概ね沿った断面図であり、底部２７２の外底２８０が上述の実施形態と類似した底面２８４を備えているのが示されている。更に、上部層２７６のかかと及びフレーム区分２７８は、支持用踏まず芯２６４を収容している。インレイ２７４すなわち変位材料は、ポートすなわち開口部２８２を介して、外底２８０の底面２８４にある靴底チャンネルすなわち溝２８６まで延伸しているのが図示されている。
【０１２６】
図２５Ｂ及び２５Ｃは中足骨区域の断面図で、変位材料のインレイ２７４が、外底２８０の上に位置し、開口部２８２を介して底面２８４の溝２８６まで延伸しているのが図示されている。
【０１２７】
図２６を参照すると、拡張底部３５２の代替実施形態を設けた靴３５０を示す。靴３５０は、甲部３４、底部３５２、及びシャーシ３６を備えている。底部３５２は、空所３５６を備えた底部又は靴底部分３５４を具備しており、この空所には内部層３５８が設けられている。底部３５２の内部層３５８と、底部３５２の基底３５４との間に挟まれた空洞３６０が形成されている。空洞３６０は、内部層３５８により上部が画定されており、内部には上部表面３６２が形成されている。上部表面３６２は、平面状の外端部３６４及び凹状の中央部分３６６を備えている。上部表面３６２の凹状中央部分３６６の下にある空洞３６０の中央部分３６８内には、図２４Ａ乃至２５Ｃに関連して上述したものと類似のインレイすなわち変位材料３７０を配置してある。底部３５２の内部層３５８に力が加えられると、このインレイすなわち変位材料３７０は、外側部分３７２内に広がって、空洞３６０の上部表面３６２の平面状外端部３６４の下に位置するようになる。この力は、人が靴に荷重をかける際にシャーシを介して加えられる。変位材料３６８が外側端部３７２内部に広がる際に、内部層３５８及びシャーシ３６は靴３５０内で下方に移動し、靴内の空間を増大させる。同様に、この力を除去すると、インレイすなわち変位材料は収縮して中央チャンバに戻り、内部層を上方に押し上げて、靴内部の体積を縮小すなわち減少させる。
【０１２８】
この靴の製造において、甲部３４は、一列の針目３６７によって内部層３５８に固着するが、これは、底部３５２の基底すなわち外底３５４を、例えば底部３５２の内部層３５８と甲部３４とに直接射出して成形するか又は加流する前に行う。一実施形態では、インレイ材料３７０は、基底の形状に合わせて成形又は押し出した、復元性がある指数伸張特性を備えたポリマーゲルである。中底は、凹状に予め形成してあり、形状変位が可能である。インレイ３７０を備えた空洞３６０は、典型的には靴３５０の中足骨区域及び足指区域に位置している。
【０１２９】
図２７Ａは、別の代替的な底部構造を備えた靴３８０の前部断面図である。靴３８０は、甲部３４、底部３８２、及びシャーシ３６を備えている。底部３８２は、基層３８４及び上部層３８６を備えている。上部層３８６は、中足骨区域の空所３９０を除いて靴３８０のシャーシ３６の下に位置した硬質の外側部分３８８を備えている。中足骨区域にあるこの中央空所３９０は、硬質のインレイ３９２を収容している。好適な一実施形態では、硬質インレイ３９２はポリウレタン又はＴＰＵである。インレイ３９２は、足の拡張に合わせて、外側層３８８をインレイ３９２から離れる方向に拡張させる複数の弾性膜３９４により外側層３８８に固着されている。外側部分３８８及びインレイ３９２が、上部層３８６内に位置した硬質材料であることにより、岩などからの外部集中過重すなわち圧点が、この硬質内部層により内部の広い範囲に散逸し、足にかかる圧力を減少させる。拡張すなわち移動は、冠状部及び機械溝により実現される。
【０１３０】
図２７Ｂは、インレイ３９２が、弾性膜３９４により硬質の外側部分３８８に結合されていることを示す、靴３８０の底部３８２の上面図である。力を広範囲に分散することによるこの圧力散逸は、地面の隔離をもたらす。すなわち、地表面が感じられない状態となる。
【０１３１】
これら実施形態では、この靴の底部の拡張は横方法に拡張するように示されているが、靴は長さ方向に拡張するようにも設計できる。長さ方向の拡張は子供靴では望ましく、これにより成長する余地を靴に確保できる。拡張を行う一方法としては、第１の材料に、第１実施形態のように横方向に延伸する第２の材料を収容するスロットを設ける方法がある。
【０１３２】
上述のように、足の形状は動的な性質があるので、足に荷重がかかり又それが除去される際にその形状は変化する。上述のように、これら底部、シャーシ、及び甲部を含んだ靴は、快適な状態で足の動的運動を実現する。底部は、拡張接合部及び冠状部と共に拡張及び収縮する。このシャーシは、典型的な３つの荷重地点よりも広い面積にわたって足にかかる力を分散するので、圧力を減少させ、同様に、シャーシの湾曲と底部を組み合わせたことで形状も拡張させる。甲部は足の動きに合わせて拡張及び収縮する。これら底部分、シャーシ、及び甲部の構造及び特徴を組み合わせたことで、外見的にも優れた、快適で支持性が高い靴ができる。
【０１３３】
好適な実施形態を参照しつつ本発明を具体的に示し且つ説明してきたが、通常の技能を備えた当業者であれば、形状及び細部は、添付の特許請求の範囲に包含される本発明の範囲から逸脱することなく様々に変更できることは理解するはずである。例えば、異なる実施形態の様々な特徴は組み合わせたり省略したりできる。幾つかの実施形態では複数の拡張機構を設け、それぞれ拡張機構が靴の拡張に別々に寄与するようにする。更に、本発明の幾つかの実施形態による靴は、底部及びシャーシを含んだ下方又は底部分を備える一方、他の実施形態は、底部は含むがシャーシは含まない下方又は底部分を備えることができる。
【図面の簡単な説明】
【０１３４】
本発明の上記及びその他の目的、特徴、及び利点は、添付の図面に示された、本発明の好適な実施形態の次のより詳細な説明から明らかとなるはずであり、これら図面の中の類似した参照記号は、異なる図面を通して同一部材を示す。これら図面は必ずしも一定の縮尺ではなく、本発明の原理を図示することにむしろ重点が置かれている。
【図１】ヒトの右足の内側上部からの斜視図である。
【図２】ヒトの右足の底面図である。
【図３】本発明による左側の靴の内側上部からの斜視図である。
【図４】（Ａ）内部が見えるように上部分を取り外して、回転させた図３に類似した図である。足指部分のシャーシは分離してある。
（Ｂ）図４Ａの足指部分の断面図である。
【図５】本発明による靴の底部の底面図である。
【図６】（Ａ）図５の線６Ａ−６Ａに沿った靴の底部の断面図である。
（Ｂ）図５の線６Ｂ−６Ｂに沿った靴の底部の断面図である。
（Ｂ１）図６Ｂに示したリップの一つの拡大図である。
（Ｃ）図５の線６Ｃ−６Ｃに沿った靴の底部の断面図である。
（Ｄ）図５の線６Ｄ−６Ｄに沿った靴の底部の断面図である。
（Ｅ）図５の線６Ｅ−６Ｅに沿った靴の底部の断面図である。
【図７】（Ａ）図５の線７Ａ−７Ａに沿った靴の底部の断面図である。
（Ｂ）図５の線７Ｂ−７Ｂに沿った靴の底部の断面図である。
【図８】（Ａ）靴のシャーシの上面図である。
（Ｂ）靴のシャーシの底面図である。
【図９】（Ａ）図８Ｂの線９Ａ−９Ａに沿った靴のシャーシの断面図である。
（Ｂ）図８Ｂの線９Ｂ−９Ｂに沿った靴のシャーシの断面図である。
（Ｃ）図８Ｂの線９Ｃ−９Ｃに沿った靴のシャーシの断面図である。
（Ｄ）図８Ｂの線９Ｄ−９Ｄに沿った靴のシャーシの断面図である。
（Ｅ）図８Ｂの線９Ｅ−９Ｅに沿った靴のシャーシの断面図である。
（Ｆ）図８Ｂの線９Ｆ−９Ｆに沿った靴のシャーシの断面図である。
（Ｇ）図８Ｂの線９Ｇ−９Ｇに沿った靴のシャーシの断面図である。
【図１０】（Ａ）シャーシの外側の図である。
（Ｂ）シャーシの内側の図である。
【図１１】（Ａ）オメガ型弾性継ぎ目を示す断面図である。
（Ｂ）伸張状態のオメガ型弾性継ぎ目を示す断面図である。
【図１２】（Ａ）甲部の側部を上部に接続するゴーリング片を示す断面図である。
（Ｂ）伸張状態の図１２Ａのゴーリングを示す断面図である。
【図１３】（Ａ）テープ貼り付け前の、靴型に装着された防水及び通気性膜の側面図である。
（Ｂ）靴型に装着された防水及び通気性膜の側面図である。
（Ｃ）靴型に装着されたガスケットを付けた防水及び通気性膜の底面図である。
（Ｄ）靴型に装着された防水及び通気性膜の底面斜視図である。
（Ｅ）防水及び通気性膜の代替的構成を示す外側前部からの斜視図である。
【図１４】（Ａ）防水及び通気性膜の代替的構成である。
（Ｂ）ガスケットを含んだ図１４Ａの防水及び通気性膜である。
（Ｃ）防水及び通気性膜の代替的構成である。
（Ｄ）全面ガスケットを含んだ図１４Ｃの防水及び通気性膜である。
（Ｅ）紐付き靴型構成による防水及び通気性膜の代替的構成の底面図である。
（Ｆ）図１４Ｅの線１４Ｆ−１４Ｆに沿った断面図である。
【図１５】（Ａ）代替シャーシの上面図である。
（Ｂ−Ｆ）図１５Ａのシャーシの５つの代替実施形態の略断面図である。
【図１６】（Ａ）靴のシャーシの代替実施形態の上面図である。
（Ｂ）図１６Ａの靴のシャーシの代替実施形態の底面図である。
【図１７】（Ａ）図１６Ｂの線１７Ａ−１７Ａに沿った靴のシャーシの断面図である。
（Ｂ）図１６Ｂの線１７Ｂ−１７Ｂに沿った靴のシャーシの断面図である。
【図１８】（Ａ）図１６Ｂの線１８Ａ−１８Ａに沿った靴のシャーシの断面図である。
（Ｂ）図１６Ｂの線１８Ｂ−１８Ｂに沿った靴のシャーシの断面図である。
（Ｃ）図１６Ｂの線１８Ｃ−１８Ｃに沿った靴のシャーシの断面図である。
（Ｄ）図１６Ｂの線１８Ｄ−１８Ｄに沿った靴のシャーシの断面図である。
（Ｅ）図１６Ｂの線１８Ｅ−１８Ｅに沿った靴のシャーシの断面図である。
（Ｆ）図１６Ｂの線１８Ｆ−１８Ｆに沿った靴のシャーシの断面図である。
（Ｇ）図１６Ｂの線１８Ｇ−１８Ｇに沿った靴のシャーシの断面図である。
【図１９】（Ａ）シャーシの外側の図である。
（Ｂ）シャーシの内側の図である。
（Ｃ）シャーシが甲部に連結された状態の靴の側断面図である。
（Ｄ）シャーシと甲部との間の代替連結機構を備えた代替的な靴の側面図である。
（Ｅ）図１９Ｄの靴の背面図である。
（Ｆ）連結機構の拡大図である。
【図２０】代替的な靴の前部側面図である。
【図２１】（Ａ）図２０の靴の底面図である。
（Ｂ）靴の底部の上面図である。
（Ａ）図２１Ａ及び２１Ｂの線２２Ａ−２２Ａに沿った靴の底部の断面図である。
（Ｂ）図２１Ａ及び２１Ｂの線２２Ｂ−２２Ｂに沿った靴の底部の断面図である。
（Ｂ１）線２２Ｂ−２２Ｂに沿った甲部とシャーシを含む靴の断面図である。
（Ｃ）図２１Ａ及び２１Ｂの線２２Ｃ−２２Ｃに沿った靴の底部の断面図である。
（Ｄ）図２１Ａ及び２１Ｂの線２２Ｄ−２２Ｄに沿った靴の底部の断面図である。
（Ｄ１）図２２Ｄに示したリップの一つの拡大図である。
（Ｅ）図２１Ａ及び２１Ｂの線２２Ｅ−２２Ｅに沿った靴の底部の断面図である。
【図２３】（Ａ）図２１Ａ及び２１Ｂの底部の内側の図である。
（Ｂ）底部の外側の図である。
【図２４】（Ａ）靴の底部の代替実施形態の底面図である。
（Ｂ）図２４Ａの靴の底部の上面図である。
【図２５】（Ａ）図２４Ａの線２５Ａ−２５Ａに沿った靴の底部の断面図である。
（Ｂ）図２４Ａの線２５Ｂ−２５Ｂに沿った靴の底部の断面図である。
（Ｃ）図２４の線２５Ｃ−２５Ｃに沿った靴の底部の断面図である。
【図２６】代替的な底部構成を備えた靴の前部断面図である。
【図２７】（Ａ）別の代替的な底部構成を備えた靴の前部断面図である。
（Ｂ）図２７Ａに示した靴の底部の前方部分の上面図である。
【図８Ａ】
2004535211.tif 000003
【図１５Ａ】
2004535211.tif 000004
【図１５Ｂ】
2004535211.tif 000005
【図１５Ｃ】
2004535211.tif 000006
【図１５Ｄ】
2004535211.tif 000007
【図１５Ｅ】
2004535211.tif 000008
【図１５Ｆ】
2004535211.tif 000009
【図２１Ｂ】
2004535211.tif 000010
【図２５Ｂ】
2004535211.tif 000011
【図２５Ｃ】
2004535211.tif 000012
【国際公開パンフレット】
2004535211.tif 000013
2004535211.tif 000014
2004535211.tif 000015
2004535211.tif 000016
2004535211.tif 000017
2004535211.tif 000018
2004535211.tif 000019
2004535211.tif 000020
2004535211.tif 000021
2004535211.tif 000022
2004535211.tif 000023
2004535211.tif 000024
2004535211.tif 000025
2004535211.tif 000026
2004535211.tif 000027
2004535211.tif 000028
2004535211.tif 000029
2004535211.tif 000030
2004535211.tif 000031
2004535211.tif 000032
2004535211.tif 000033
2004535211.tif 000034
2004535211.tif 000035
2004535211.tif 000036
2004535211.tif 000037
2004535211.tif 000038
2004535211.tif 000039
2004535211.tif 000040
2004535211.tif 000041
2004535211.tif 000042
2004535211.tif 000043
2004535211.tif 000044
2004535211.tif 000045
2004535211.tif 000046
2004535211.tif 000047
2004535211.tif 000048
2004535211.tif 000049
2004535211.tif 000050
2004535211.tif 000051
2004535211.tif 000052
2004535211.tif 000053
2004535211.tif 000054
2004535211.tif 000055
2004535211.tif 000056
2004535211.tif 000057
2004535211.tif 000058
2004535211.tif 000059
2004535211.tif 000060
2004535211.tif 000061
2004535211.tif 000062
2004535211.tif 000063
2004535211.tif 000064
2004535211.tif 000065
2004535211.tif 000066
2004535211.tif 000067
2004535211.tif 000068
2004535211.tif 000069
2004535211.tif 000070
2004535211.tif 000071
2004535211.tif 000072
2004535211.tif 000073
2004535211.tif 000074
2004535211.tif 000075
2004535211.tif 000076
2004535211.tif 000077
2004535211.tif 000078
2004535211.tif 000079
2004535211.tif 000080
2004535211.tif 000081
2004535211.tif 000082
2004535211.tif 000083
2004535211.tif 000084
2004535211.tif 000085
2004535211.tif 000086
2004535211.tif 000087
2004535211.tif 000088
2004535211.tif 000089
2004535211.tif 000090
2004535211.tif 000091
2004535211.tif 000092
2004535211.tif 000093
2004535211.tif 000094
2004535211.tif 000095
2004535211.tif 000096
2004535211.tif 000097
2004535211.tif 000098
2004535211.tif 000099
2004535211.tif 000100
2004535211.tif 000101
2004535211.tif 000102
2004535211.tif 000103
2004535211.tif 000104
2004535211.tif 000105
2004535211.tif 000106
2004535211.tif 000107
2004535211.tif 000108
2004535211.tif 000109
2004535211.tif 000110
2004535211.tif 000111
2004535211.tif 000112
2004535211.tif 000113
2004535211.tif 000114
【国際公開パンフレット（コレクトバージョン）】
2004535211.tif 000115
2004535211.tif 000116
【手続補正書】
【提出日】平成15年1月20日(2003.1.20)
【手続補正１】
【補正対象書類名】特許請求の範囲
【補正対象項目名】全文
【補正方法】変更
【補正の内容】
【特許請求の範囲】
【請求項１】
かかと、土踏まず、中足骨、及び足指を備えた足を収容する容積を有する靴であって、
第１部分及び拡張機構を備えた底部であって、前記張機構は、荷重が加わったときに前記中足骨領域内の前記靴の前記容積の拡張を引き起こすために拡張する第２部分を含む、底部と、
前記底部の上に載置された甲部と、
前記底部の上に載置されて、前記足の下に位置するシャーシとを含む靴。
【請求項２】
前記底部の前記拡張機構は冠状部を含み、前記底部は底面を備え、前記靴に荷重が加わっていない状態／姿勢では、前記底面の中央領域は前記底面の一対の側縁部の下に延伸し、前記靴に荷重が加わった状態では、前記縁部が外側下方に移動する、請求項１に記載の靴。
【請求項３】
前記底部の前記拡張機構は、複数の開口部を備えた外底を含み、前記底部の前記外底及び前記甲部が前記靴容積を画定し、前記底部が、前記外底の概ね上に位置する変位部分であって、前記靴容積の一部を充填する変位部分を含み、前記変位部分は、変形し且つ前記底部分の前記開口部を介して突出し、前記靴容積を増大可能な、請求項１に記載の靴。
【請求項４】
前記底部の前記拡張機構は基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項１に記載の靴。
【請求項５】
前記甲部が、前記甲部を拡張及び収縮させる拡張及び収縮機構を備えた、請求項４に記載の靴。
【請求項６】
前記拡張及び収縮機構は、継ぎ目において二片のレザーの間に挟まれた可撓性材料であって、この可撓性材料が拡張し収縮する、請求項５に記載の靴。
【請求項７】
前記拡張及び収縮機構は、継ぎ目において二片のレザーの間に挟まれた拡張可能なオメガ型継ぎ目であって、このオメガが開閉する、請求項５に記載の靴。
【請求項８】
前記シャーシが、前記足の前記かかとの下に位置するかかと区域と、前記中足骨の下に位置する中足骨区域と、前記足の前記足指の下に位置する足指区域とからなる少なくとも３つの調整された区域を備えた、請求項５に記載の靴。
【請求項９】
前記シャーシが、付加的な調整された区域である、前記足の前記土踏まずの下に位置した土踏まず区域を備えた、請求項８に記載の靴。
【請求項１０】
前記靴内に載置された防水及び通気性ライナーであって、水が前記ライナーを通過して前記足に到達するのを防止し、前記足の呼吸は許容する防水及び通気性ライナーを更に含む、請求項８に記載の靴。
【請求項１１】
前記防水及び通気性ライナーが、前記中足骨区域及び前記足指区域に拡張可能領域を、前記かかと区域に非拡張可能領域を備えた、請求項１０に記載の靴。
【請求項１２】
かかと、土踏まず、中足骨、及び足指を備えた足を収容するための靴であって、
拡張機構を備えた底部であって、この拡張機構が前記中足骨の下に位置し、この底部を横方向に拡張する、底部と、
前記底部の上に載置された甲部と、
前記底部に載置され、前記足の下に位置したシャーシであって、前記足の前記かかとの下に位置するかかと区域と、前記中足骨の下に位置する中足骨区域と、前記足の前記足指の下に位置する足指区域との少なくとも３つの調整された区域を備えたシャーシとを含む靴。
【請求項１３】
前記シャーシが、基層と、上層と、インサートとを含み、前記インサートが、前記かかと区域及び土踏まず区域において前記基層と前記上層との間に延伸し、前記インサートが、前記土踏まず区域において屈曲を可能とする複数のフィンガーを備える、請求項１２に記載の靴。
【請求項１４】
前記シャーシが、付加的な調整された区域である、前記足の前記土踏まずの下に位置した土踏まず区域を備えた、請求項１３に記載の靴。
【請求項１５】
前記甲部が、前記甲部を拡張及び収縮させる拡張及び収縮機構を備えた、請求項１４に記載の靴。
【請求項１６】
前記拡張及び収縮機構が、継ぎ目において二片のレザーの間に挟まれた可撓性材料であって、この可撓性材料が拡張し収縮する、請求項１５に記載の靴。
【請求項１７】
前記拡張及び収縮機構が、継ぎ目において二片のレザーの間に挟まれた拡張可能なオメガ型継ぎ目であって、このオメガが開閉する、請求項１５に記載の靴。
【請求項１８】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項１５に記載の靴。
【請求項１９】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項１１に記載の靴。
【請求項２０】
前記底部の前記拡張機構が、前記靴を長手方向に拡張する拡張機構を含んだ、請求項１９に記載の靴。
【請求項２１】
前記長手方向拡張機構が、拡張部分を画定する概ね横方向に延伸した前記スロットの少なくとも一部を備え、前記拡張部分が、前記底部の長手方向への拡張を可能とする材料を収容する、請求項２０に記載の靴。
【請求項２２】
前記シャーシと一体形成され、前記甲部及び前記底部から分離したかかとカップを更に含む、請求項１９に記載の靴。
【請求項２３】
かかと、土踏まず、中足骨、及び足指を備えた足を収容するための靴であって、
底部と、
前記底部の上に載置された甲部と、
前記底部に載置され、前記足の下に位置したシャーシであって、前記足の前記かかとの下に位置するかかと区域と、前記中足骨の下に位置する中足骨区域と、前記足の前記足指の下に位置する足指区域との少なくとも３つの調整された区域を備えたシャーシとを含む靴。
【請求項２４】
前記甲部が、前記甲部を拡張及び収縮させる拡張及び収縮機構を備えた、請求項２３に記載の靴。
【請求項２５】
前記底部が、前記中足骨の下に位置すると共に前記底部を横方向に拡張するための拡張機構を更に含む、請求項２４に記載の靴。
【請求項２６】
前記甲部が、前記シャーシの下に位置した固着機構により前記底部に固着されている、請求項２５に記載の靴。
【請求項２７】
前記甲部が、概ね垂直に延伸した固着機構により前記底部に固着されている、請求項２５に記載の靴。
【請求項２８】
前記底部がリップを更に含み、前記甲部が、前記リップの上に位置した部分を含み、この靴が、前記甲部を介して前記リップ内に延伸して、押し縁を画定する一列の針目を更に含む、請求項２５に記載の靴。
【請求項２９】
前記シャーシが、付加的な調整された区域である、前記足の前記土踏まずの下に位置した土踏まず区域を備えた、請求項２８に記載の靴。
【請求項３０】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項２９に記載の靴。
【請求項３１】
前記靴内に載置された防水及び通気性ライナーを更に含み、前記防水及び通気性ライナーが、前記中足骨区域及び前記足指区域に拡張可能領域を備え、前記かかと区域に非拡張可能領域を備え、前記防水及び通気性ライナーが、水が前記ライナーを通過して前記足に到達するのを防止し、前記足の呼吸は許容する、請求項３０に記載の靴。
【請求項３２】
前記拡張及び収縮機構が、継ぎ目において二片のレザーの間に挟まれたオメガ型弾性継ぎ目であって、このオメガが開閉する、請求項３１に記載の靴。
【請求項３３】
かかと、土踏まず、中足骨、及び足指を備えた足を収容するための靴であって、
底部と、
前記底部の上に載置された甲部であって、この甲部を拡張及び収縮させる拡張及び収縮機構を備えた甲部と、
前記底部の上に載置されて、前記足の下に位置するシャーシと、
前記靴内に載置された防水及び通気性ライナーであって、前記中足骨区域及び前記足指区域に拡張可能領域を備え、前記かかと区域に非拡張可能領域を備え、水がこのライナーを通過して前記足に到達するのを防止し、前記足の呼吸は許容する防水及び通気性ライナーとを含む靴。
【請求項３４】
前記底部が、前記中足骨の下に位置すると共に前記底部を横方向に拡張するための拡張機構を更に含む、請求項３３に記載の靴。
【請求項３５】
前記拡張及び収縮機構が、継ぎ目において二片のレザーの間に挟まれたオメガ型弾性継ぎ目であって、このオメガが開閉する、請求項３４に記載の靴。
【請求項３６】
前記底部の前記拡張機構が、基底部分と拡張部分とを含み、前記基底部分が、前記拡張部分を画定する中足領域において概ね長手方向に延伸する複数のスロットを備え、前記拡張部分が、前記底部の横方向への拡張を可能とする材料で形成されている、請求項３５に記載の靴。
【請求項３７】
かかと、土踏まず、中足骨、及び足指を備えた足の下に位置するシャーシであって、
前記シャーシが、前記足の前記かかとの下に位置するかかと区域と、前記中足骨の下に位置する中足骨区域と、前記足の前記足指の下に位置する足指区域との少なくとも３つの調整された区域を備えた、シャーシ。
【請求項３８】
前記シャーシが、付加的な調整された区域である、前記足の前記土踏まずの下に位置した土踏まず区域を備えた、請求項３７に記載のシャーシ。
【請求項３９】
前記シャーシが、前記区域の少なくとも２つの間にまたがる移行帯を備えた、請求項３９に記載のシャーシ。
【請求項４０】
前足領域と、中足領域と、かかと領域とを備えた靴であって、
基底部分と拡張部分とを備えた底部であって、前記基底部分は、前記拡張部分を画定する前記中足領域において概ね長手方向に延伸する複数のスロットを備え、前記拡張部分は、前記底部の横方向への拡張を可能とする材料で形成されている、底部と、
前記底部分の上に載置された甲部部分と、
前記底部の上に載置されたシャーシであって、力を拡散するために、前記足に適合された複数の材料を備えたシャーシとを備えた靴。
【請求項４１】
前記底部分が冠状部を備え、前記靴に荷重が加わっていない状態では、前記底面の中央は側縁部の下に延伸し、前記靴に荷重が加わった状態では、前記縁部が外側に移動する、請求項４０に記載の靴。
【請求項４２】
前記甲部部分が、前記足が動く際に、前記足を安定して保持するための拡張及び収縮機構を備えた、請求項４０に記載の靴。
【請求項４３】
前記拡張及び収縮機構は、継ぎ目において二片の材料の間に挟まれた可撓性材料であって、この可撓性材料が拡張し収縮する、請求項４２に記載の靴。
【請求項４４】
前記前記拡張及び収縮機構が、オメガ型弾性継ぎ目である、請求項４２に記載の靴。
【請求項４５】
前記シャーシが、前記足を支持するかかとカップを備えた、請求項４０に記載の靴。
【請求項４６】
前記シャーシが前記足の外形に合わせて作製されている、請求項４０に記載の靴。
【請求項４７】
足を収容するための靴であって、
底部と、
前記底部の上に載置された甲部と、
前記底部の上に載置されて、前記足の下に位置するシャーシと、
前記底部及び前記甲部の内部に載置された防水及び通気性ライナーであって、足型に装着して作製した前方部分と、防水ガスケットで封止した、足型で接着した後方部分を備え、水が前記ライナーを通過して前記足に到達するのを防止し、前記足の呼吸は許容する防水及び通気性ライナーとを含む靴。
【請求項４８】
かかと、土踏まず、中足骨、及び足指を備えた足を収容するための履物であって、拡張機構を備えた下部を含み、前記拡張機構が、前記中足骨の下に位置すると共に前記下部を横方向に拡張する、履物。
【請求項４９】
前記下部は、長手方向に延伸した溝を備えた底部を含み、前記溝が、前記底部が屈曲する際に横方向に拡張するよう構成されている、請求項４８に記載の履物。
【請求項５０】
前記溝が、外側に向かって角度を付けた長手方向に延伸する側壁を備える、請求項４９に記載の履物。
【請求項５１】
前記下部が、冠状底面を備え、前記底面の平坦化が前記底部を横方向に拡張する、請求項４８に記載の履物。
【請求項５２】
かかと、土踏まず、中足骨、及び足指を備えた足を収容するための容積を有する靴を作製する方法であって、
第１部分及び拡張機構を備えた底部であって、前記拡張機構は、荷重が加わったときに前記中足骨領域内の前記靴の前記容積の拡張を引き起こすために拡張する第２部分を含む、提供する段階と、
前記底部の上に載置された甲部を提供する段階と、
前記底部の上に載置されて、前記足の下に位置するシャーシを提供する段階とを含む、靴を作製する方法。
【請求項５３】
かかと、土踏まず、中足骨、及び足指を備えた足を収容する履物を作製する方法であって、拡張機構を備えた下部を作製する段階であって、前記拡張機構が、前記中足骨の下に位置すると共に下部を横方向に拡張する、作製する段階を含む履物を作製する方法。
【請求項５４】
かかと、土踏まず、中足骨、及び足指を備えた足を収容するための、底部を備えた履物を拡張する方法であって、
前記靴の拡張を許容する段階と、
前記底部を、拡張機構により、拡張する前記足の力によって、前記中足骨の下で横方向に拡張させる段階とを含んだ、履物を拡張する方法。
【請求項５５】
下部を備えた履物を拡張させる方法であって、
使用時に前記下部を屈曲させる段階と、
前記下部の屈曲に応答して拡張する拡張機構により、前記下部を拡張させる段階とを含む、履物を拡張させる方法。
【請求項５６】
前記下部は、長手方向に延伸した溝を備えた底部を含み、前記溝を、前記底部の屈曲と共に横方向に拡張するように構成する段階を更に含む、請求項５５に記載の方法。
【請求項５７】
前記溝に、外側に向かって角度を付けた長手方向に延伸する側壁を設ける段階を更に含む、請求項５６に記載の方法。
【請求項５８】
冠状底面を備えた底部を前記下部に設ける段階を更に含み、前記底面の平坦化が前記底部を横方向に拡張する、請求項５５に記載。
【国際調査報告】
2004535211.tif 000117
2004535211.tif 000118
2004535211.tif 000119
2004535211.tif 000120
2004535211.tif 000121
2004535211.tif 000122